(57)【要約】  本発明の実施形態は、通信方法、装置およびシステムを提供する。方法は、基地局によって、第1の指示情報を生成するステップであって、第1の指示情報は第1のリソースの構成情報を示すために使用されるステップと、基地局によって、第2の指示情報を生成するステップであって、第2の指示情報は第2のリソースと前記第1のリソースとの間の関係を端末に示すために使用されるステップと、基地局によって、第1の指示情報と第2の指示情報とを送信し、それによって端末が自身の受信リソースまたは送信リソースを決定するステップとを含む。本発明の実施形態で提供される技術的解決策によれば、基地局が端末の受信リソースまたは送信リソースを示す場合、リソース指示オーバーヘッドを減らすことができる。
2020504549.tif 000002
【特許請求の範囲】
【請求項１】
通信方法であって、
基地局によって、第1の指示情報を生成するステップであって、前記第1の指示情報は第1のリソースの構成情報を示すために使用される、ステップと、前記基地局によって、第2の指示情報を生成するステップであって、前記第2の指示情報は第2のリソースと前記第1のリソースとの間の関係を示すために使用される、ステップと、前記基地局によって、前記第1の指示情報と前記第2の指示情報とを端末に送信し、それによって、前記端末が、前記第1の指示情報と前記第2の指示情報とに基づいて、自身の受信リソースまたは送信リソースを決定する、ステップと
を含む通信方法。
【請求項２】
前記第1の指示情報は、前記第1のリソースの種類および／または前記第1のリソースの長さを含む、請求項1に記載の方法。
【請求項３】
前記第1のリソースの前記種類は、前記基地局の送信リソースと時間単位との間の関係、または前記端末の前記送信リソースと時間単位との間の関係を示すために使用される、請求項2に記載の方法。
【請求項４】
前記第1のリソースの前記長さは、時間単位の数である、請求項2または3に記載の方法。
【請求項５】
前記第2の指示情報は、以下の情報、すなわち、
時間単位識別子、サブ時間単位識別子、および参照信号受信電力RSRPシーケンス番号
のうちの少なくとも一種類を含む、請求項1〜4のいずれか一項に記載の方法。
【請求項６】
前記第2の指示情報は、以下の情報、すなわち、
チャネル状態情報参照信号リソースインジケータCSI−RS resource indicator、サウンディング参照信号リソースインジケータSRS resource indicator、チャネル状態情報CSI測定設定、およびサウンディング参照信号SRS測定設定
のうちの一または複数の種類をさらに含み得る、請求項1〜5のいずれか一項に記載の方法。
【請求項７】
前記第2の指示情報は、擬似コロケーションQCL指示情報をさらに含む、請求項1〜6のいずれか一項に記載の方法。
【請求項８】
前記QCL指示情報は、以下の情報、すなわち、
遅延スプレッド、ドップラースプレッド、ドップラーシフト、平均利得、平均遅延、到来角AOA、出発角AOD、平均AOA、平均AOD、送信ビーム、受信ビーム、受信アンテナ空間関係パラメータ、およびリソース識別子
のうちの一または複数の種類を含む、請求項7に記載の方法。
【請求項９】
前記第1の指示情報および前記第2の指示情報は、以下のメッセージ、すなわち、
物理ダウンリンク制御チャネルPDCCHメッセージ、または無線リソース制御RRCメッセージ、またはメディアアクセス制御制御要素MAC CE
のうちの任意の1つまたは複数の中にカプセル化されることによって前記端末装置に送信される、請求項1〜8のいずれか一項に記載の方法。
【請求項１０】
前記受信リソースは受信ビームまたは受信ポートであり、前記送信リソースは送信ビームまたは送信ポートである、請求項1〜9のいずれか一項に記載の方法。
【請求項１１】
通信方法であって、
基地局から、第1の指示情報と第2の指示情報とを受信するステップであって、前記第1の指示情報は第1のリソースの構成情報を示すために使用され、前記第2の指示情報は第2のリソースと前記第1のリソースとの間の関係を示すために使用される、ステップと、
前記第1の指示情報と前記第2の指示情報とに基づいて、自身の受信リソースまたは送信リソースを決定するステップと
を含む、通信方法。
【請求項１２】
前記第1の指示情報は、前記第1のリソースの種類および／または前記第1のリソースの長さを含む、請求項11に記載の方法。
【請求項１３】
前記第1のリソースの前記種類は、前記基地局の送信リソースと時間単位との間の関係、または前記端末の前記送信リソースと時間単位との間の関係を示すために使用される、請求項12に記載の方法。
【請求項１４】
前記第1のリソースの前記長さは、時間単位の数である、請求項12または13に記載の方法。
【請求項１５】
前記第2の指示情報は、以下の情報、すなわち、
時間単位識別子、サブ時間単位識別子、および参照信号受信電力RSRPシーケンス番号
のうちの少なくとも一種類を含む、請求項11〜14のいずれか一項に記載の方法。
【請求項１６】
前記第2の指示情報は、以下の情報、すなわち、
チャネル状態情報参照信号リソースインジケータCSI−RS resource indicator、サウンディング参照信号リソースインジケータSRS resource indicator、チャネル状態情報CSI測定設定、およびサウンディング参照信号SRS測定設定
のうちの一または複数の種類をさらに含む、請求項11〜15のいずれか一項に記載の方法。
【請求項１７】
前記第2の指示情報は、QCL指示情報をさらに含む、請求項11〜16のいずれか一項に記載の方法。
【請求項１８】
前記QCL指示情報は、以下の情報、すなわち、
遅延スプレッド、ドップラースプレッド、ドップラーシフト、平均利得、平均遅延、到来角AOA、出発角AOD、平均AOA、平均AOD、送信ビーム、受信ビーム、受信アンテナ空間コヒーレンスパラメータ、およびリソース識別子
のうちの一または複数の種類である、請求項17に記載の方法。
【請求項１９】
前記受信リソースは受信ビームまたは受信ポートを含み、前記送信リソースは送信ビームまたは送信ポートを含む、請求項11〜18のいずれか一項に記載の方法。
【請求項２０】
第1のリソースの構成情報を示すために使用される第1の指示情報を生成するよう、および、前記基地局によって、第2のリソースと前記第1のリソースとの間の関係を示すために使用される第2の指示情報を生成するよう構成された、プロセッサと、
前記第1の指示情報と前記第2の指示情報とを端末に送信し、それによって前記端末が前記第1の指示情報と前記第2の指示情報とに基づいて自身の受信リソースまたは送信リソースを決定するよう構成されたトランシーバと
を含む、基地局。
【請求項２１】
前記第1の指示情報は、前記第1のリソースの種類および／または前記第1のリソースの長さを含む、請求項20に記載の基地局。
【請求項２２】
前記第1のリソースの前記種類は、前記基地局の送信リソースと時間単位との間の関係、または前記端末の前記送信リソースと時間単位との間の関係を示すために使用される、請求項21に記載の基地局。
【請求項２３】
前記第1のリソースの前記長さは、時間単位の数を含む、請求項21または22に記載の基地局。
【請求項２４】
前記第2の指示情報は、以下の情報、すなわち、
時間単位識別子、サブ時間単位識別子、および参照信号受信電力RSRPシーケンス番号
のうちの少なくとも一種類を含む、請求項20〜23のいずれか一項に記載の基地局。
【請求項２５】
前記第2の指示情報は、以下の情報、すなわち、
チャネル状態情報参照信号リソースインジケータCSI−RS resource indicator、サウンディング参照信号リソースインジケータSRS resource indicator、チャネル状態情報CSI測定設定、およびサウンディング参照信号SRS測定設定
のうちの一または複数の種類をさらに含む、請求項20〜24のいずれか一項に記載の基地局。
【請求項２６】
前記第2の指示情報は、擬似コロケーションQCL指示情報をさらに含む、請求項20〜25のいずれか一項に記載の基地局。
【請求項２７】
前記QCL指示情報は、以下の情報、すなわち、
遅延スプレッド、ドップラースプレッド、ドップラーシフト、平均利得、平均遅延、到来角AOA、出発角AOD、平均AOA、平均AOD、送信ビーム、受信ビーム、受信アンテナ空間コヒーレンスパラメータ、およびリソース識別子
のうちの一または複数の種類を含む、請求項26に記載の基地局。
【請求項２８】
前記第1の指示情報および前記第2の指示情報は、以下のメッセージ、すなわち、
物理ダウンリンク制御チャネルPDCCHメッセージ、または無線リソース制御RRCメッセージ、またはメディアアクセス制御制御要素MAC CE
のうちの任意の1つまたは複数の中にカプセル化されることによって前記端末装置に送信される、請求項20〜27のいずれか一項に記載の基地局。
【請求項２９】
前記受信リソースは受信ビームまたは受信ポートであり、前記送信リソースは送信ビームまたは送信ポートである、請求項20〜28のいずれか一項に記載の基地局。
【請求項３０】
基地局から、第1のリソースの構成情報を示すために使用される第1の指示情報と、第2のリソースと前記第1のリソースとの間の関係を示すために使用される第2の指示情報とを受信するよう構成されたトランシーバと、
前記第1の指示情報および前記第2の指示情報に基づいて、自身の受信リソースまたは送信リソースを決定するよう構成されたプロセッサと
を含む、端末。
【請求項３１】
前記第1の指示情報は、前記第1のリソースの種類および／または前記第1のリソースの長さを含む、請求項30に記載の端末。
【請求項３２】
前記第1のリソースの前記種類は、前記基地局の送信リソースと時間単位との間の関係、または前記端末の前記送信リソースと時間単位との間の関係を示すために使用される、請求項31に記載の端末。
【請求項３３】
前記第1のリソースの前記長さは、時間単位の数を含む、請求項31または32に記載の端末。
【請求項３４】
前記第2の指示情報は、以下の情報、すなわち、
時間単位識別子、サブ時間単位識別子、および参照信号受信電力RSRPシーケンス番号
のうちの少なくとも一種類を含む、請求項30〜33のいずれか一項に記載の端末。
【請求項３５】
前記第2の指示情報は、以下の情報、すなわち、
チャネル状態情報参照信号リソースインジケータCSI−RS resource indicator、サウンディング参照信号リソースインジケータSRS resource indicator、チャネル状態情報CSI測定設定、およびサウンディング参照信号SRS測定設定
のうちの一または複数の種類をさらに含む、請求項30〜34のいずれか一項に記載の端末。
【請求項３６】
前記第2の指示情報は、QCL指示情報をさらに含む、請求項30〜35のいずれか一項に記載の端末。
【請求項３７】
前記QCL指示情報は、以下の情報、すなわち、
遅延スプレッド、ドップラースプレッド、ドップラーシフト、平均利得、平均遅延、到来角AOA、出発角AOD、平均到来角AOA、平均出発角AOD、送信ビーム、受信ビーム、受信アンテナ空間コヒーレンスパラメータ、およびリソース識別子
のうちの一または複数の種類である、請求項36に記載の端末。
【請求項３８】
前記受信リソースは受信ビームまたは受信ポートを含み、前記送信リソースは送信ビームまたは送信ポートを含む、請求項30〜37のいずれか一項に記載の端末。
【発明の詳細な説明】
【技術分野】
【０００１】
本発明は、移動通信ネットワークの分野に関連し、特に、リソース指示方法、装置、およびシステムに関する。
【背景技術】
【０００２】
5Gの進化は、高データレート通信をサポートする必要がある。高帯域スペクトルリソースは比較的広い帯域幅を有し、高データレート通信を効果的に実施することができる。しかしながら、高帯域の無線伝搬特性のために、高帯域経路減衰は高く、その結果、高帯域カバレージは制限され、いかにして高データレートをサポートしながら良好なカバレッジを維持するかは、重要な問題である。
【０００３】
高帯域波長は比較的短い。この場合、アンテナ間隔を狭めることができ、同じ面積に対して、より多くのアンテナアレイ素子を配置することができる。数多くのアンテナアレイ素子が、大規模アレイアンテナを形成することができ、大規模アレイアンテナは、ビームフォーミング（beamforming、BF）を使用することによってアレイ利得をもたらすことができ、それによってカバレッジを増大し、高帯域経路減衰を低減する。したがって、高帯域では、図1に示すように、基地局は通常、ビームを使用して端末と通信する。
【０００４】
大規模アンテナアレイの場合、コストを考慮して、すべてのアンテナアレイ素子が別々に1つの無線周波数チャネルに接続できるわけではない。無線周波数チャネルが限られている状況では、無線周波数端で移相器を使用することによって、無線周波数端でアナログ位相重み付けを実施することができ、無線周波数端でアナログビームが形成される。アナログビームは基地局で形成されてもよいし、端末で形成されてもよい。アンテナアレイ素子の位相重みを変えることによって、異なるビーム方向を得ることができる。高帯域については、カバレッジ要件を考慮して、アナログビームが使用されてもよく、またはアナログ−デジタルハイブリッド重み付け方式が使用されてもよい。
【０００５】
ビームベースの通信モードでは、チャネルと信号の両方の通信はビームを使用することによって実行され得る。制御チャネルとデータチャネルの通信は、要件に応じて、同じビームを用いても、異なるビームを用いてもよい。基地局が通信のためにダウンリンク送信ビームを選択する場合、端末が対応するダウンリンク受信ビームを選択するときにのみリンク利得が最大化され得る。したがって、ダウンリンクチャネルをスケジューリングするとき、基地局は受信のために特定のダウンリンク受信ビームを使用するよう端末に命令する必要がある。同様に、基地局はまた、特定のアップリンク送信ビームを使用して物理アップリンク制御チャネル（physical uplink control channel、PUCCH）および物理アップリンク共有チャネル（physical uplink shared channel、PUSCH）を送信するように端末に命令する必要がある。そのためには、リソースが指示される必要がある。したがって、低オーバーヘッドシグナリング指示をどのように実施するかは、解決される必要がある問題である。
【発明の概要】
【０００６】
前述の技術的問題を解決するために、本発明の実施形態は、リソース指示方法、システム、および装置を提供する。技術的な解決策は次の通りである。
【課題を解決するための手段】
【０００７】
第1の態様によれば、本発明の一実施形態は、
通信方法であって、
基地局によって、第1の指示情報を生成するステップであって、第1の指示情報は第1のリソースの構成情報を示すために使用される、ステップと、基地局によって、第2の指示情報を生成するステップであって、第2の指示情報は第2のリソースと第1のリソースとの間の関係を示すために使用される、ステップと、基地局によって、第1の指示情報と第2の指示情報とを端末に送信し、それによって、端末が、第1の指示情報と第2の指示情報とに基づいて、自身の受信リソースまたは送信リソースを決定する、ステップと
を含む通信方法を提供する。
【０００８】
可能な設計では、第1の指示情報は、第1のリソースの種類および／または第1のリソースの長さを含む。
【０００９】
可能な設計では、第1のリソースの種類は、基地局の送信リソースと時間単位との間の関係、または端末の送信リソースと時間単位との間の関係を示すために使用される。
【００１０】
可能な設計では、第1のリソースの種類の長さは2ビットである。
【００１１】
可能な設計では、第1の種類の第1のリソースは、送信リソースが同じ時間単位内の異なるサブ時間単位にわたって同じであり、送信リソースが異なる時間単位にわたって異なることを示す。
【００１２】
可能な設計では、第2の種類の第1のリソースは、送信リソースが同じ時間単位内の異なるサブ時間単位にわたって異なり、送信リソースが異なる時間単位にわたって同じであることを示す。
【００１３】
可能な設計では、第3の種類の第1のリソースは、第1の種類と第2の種類との組み合わせを示す。
【００１４】
可能な設計では、第1のリソースの長さは時間単位の数を含む。
【００１５】
可能な設計では、時間単位の数は1以上である。
【００１６】
可能な設計では、第2の指示情報は、以下の情報、すなわち、
時間単位識別子、サブ時間単位識別子、および参照信号受信電力RSRPシーケンス番号
のうちの一または複数の種類を含む。
【００１７】
可能な設計では、第2の指示情報は、以下の情報、すなわち、
チャネル状態情報参照信号リソースインジケータCSI−RS resource indicator、サウンディング参照信号リソースインジケータSRS resource indicator、チャネル状態情報CSI測定設定、およびサウンディング参照信号SRS測定設定
のうちの一または複数の種類をさらに含む。
【００１８】
可能な設計では、第2の指示情報は、擬似コロケーションQCL指示情報をさらに含む。
【００１９】
可能な設計では、QCL指示情報は、以下の情報、すなわち、
遅延スプレッド、ドップラースプレッド、ドップラーシフト、平均利得、平均遅延、到来角AOA、出発角AOD、平均AOA、平均AOD、送信ビーム、受信ビーム、受信アンテナ空間コヒーレンスパラメータ、およびリソース識別子
のうちの一または複数の種類を含む。
【００２０】
可能な設計では、第1の指示情報および第2の指示情報は、以下のメッセージ、すなわち、
物理ダウンリンク制御チャネルPDCCHメッセージ、または無線リソース制御RRCメッセージ、またはメディアアクセス制御制御要素MAC CE
のうちの任意の1つまたは複数の中にカプセル化されることによって端末装置に送信される。
【００２１】
可能な設計では、受信リソースは受信ビームまたは受信ポートであり、送信リソースは送信ビームまたは送信ポートである。
【００２２】
基地局が端末の受信リソースまたは送信リソースを示す場合、本発明の実施形態で提供される技術的解決策によれば、リソース指示オーバーヘッドを減らすことができる。
【００２３】
第2の態様によれば、
通信方法であって、
基地局から、第1の指示情報と第2の指示情報とを受信するステップであって、第1の指示情報は第1のリソースの構成情報を示すために使用され、第2の指示情報は第2のリソースと第1のリソースとの間の関係を示すために使用される、ステップと、
第1の指示情報および第2の指示情報に基づいて、自身の受信リソースまたは送信リソースを決定するステップと
を含む通信方法がさらに提供される。
【００２４】
可能な設計では、第1の指示情報は、第1のリソースの種類および／または第1のリソースの長さを含む。
【００２５】
可能な設計では、第1のリソースの種類は、基地局の送信リソースと時間単位との間の関係、または端末の送信リソースと時間単位との間の関係を示すために使用される。
【００２６】
可能な設計では、第1の種類の第1のリソースは、送信リソースが同じ時間単位内の異なるサブ時間単位にわたって同じであり、送信リソースが異なる時間単位にわたって異なることを示す。
【００２７】
可能な設計では、第2の種類の第1のリソースは、送信リソースが同じ時間単位内の異なるサブ時間単位にわたって異なり、送信リソースが異なる時間単位にわたって同じであることを示す。
【００２８】
可能な設計では、第3の種類の第1のリソースは、第1の種類と第2の種類との組み合わせを示す。
【００２９】
可能な設計では、第1のリソースの長さは時間単位の数を含む。
【００３０】
可能な設計では、第2の指示情報は、以下の情報、すなわち、
時間単位識別子、サブ時間単位識別子、および参照信号受信電力RSRPシーケンス番号
のうちの一または複数の種類を含む。
【００３１】
可能な設計では、第2の指示情報は、以下の情報、すなわち、
チャネル状態情報参照信号リソースインジケータCSI−RS resource indicator、サウンディング参照信号リソースインジケータSRS resource indicator、チャネル状態情報CSI測定設定、およびサウンディング参照信号SRS測定設定
のうちの一または複数の種類をさらに含む。
【００３２】
可能な設計では、第2の指示情報は、QCL指示情報をさらに含む。
【００３３】
可能な設計では、QCL指示情報は、遅延スプレッド、ドップラースプレッド、ドップラーシフト、平均利得、平均遅延、到来角AOA、出発角AOD、平均AOA、平均AOD、送信ビーム、受信ビーム、受信アンテナ空間関係パラメータ、およびリソース識別子の情報のうちの一または複数の種類である。
【００３４】
可能な設計では、受信リソースは受信ビームまたは受信ポートを含み、送信リソースは送信ビームまたは送信ポートを含む。
【００３５】
本発明の実施形態で提供される技術的解決策によれば、基地局が端末の受信リソースまたは送信リソースを示す場合、リソース指示オーバーヘッドを減らすことができる。
【００３６】
第3の態様によれば、基地局は、
第1のリソースの構成情報を示すために使用される第1の指示情報を生成するよう、および、基地局によって、第2のリソースと第1のリソースとの間の関係を示すために使用される第2の指示情報を生成するよう構成されたプロセッサと、
第1の指示情報と第2の指示情報とを端末に送信し、それによって端末が第1の指示情報と第2の指示情報とに基づいて自身の受信リソースまたは送信リソースを決定するよう構成されたトランシーバと
を含む。
【００３７】
可能な設計では、第1の指示情報は、第1のリソースの種類および／または第1のリソースの長さを含む。
【００３８】
可能な設計では、第1のリソースの種類は、基地局の送信リソースと時間単位との間の関係、または端末の送信リソースと時間単位との間の関係を示すために使用される。
【００３９】
可能な設計では、第1のリソースの種類の長さは2ビットである。
【００４０】
可能な設計では、第1の種類の第1のリソースは、送信リソースが同じ時間単位内の異なるサブ時間単位にわたって同じであり、送信リソースが異なる時間単位にわたって異なることを示す。
【００４１】
可能な設計では、第2の種類の第1のリソースは、送信リソースが同じ時間単位内の異なるサブ時間単位にわたって異なり、送信リソースが異なる時間単位にわたって同じであることを示す。
【００４２】
可能な設計では、第3の種類の第1のリソースは、第1の種類と第2の種類との組み合わせを示す。
【００４３】
可能な設計では、第1のリソースの長さは時間単位の数を含む。
【００４４】
可能な設計では、第2の指示情報は、以下の情報、すなわち、
時間単位識別子、サブ時間単位識別子、および参照信号受信電力RSRPシーケンス番号
のうちの一または複数の種類を含む。
【００４５】
可能な設計では、第2の指示情報は、以下の情報、すなわち、
チャネル状態情報参照信号リソースインジケータCSI−RS resource indicator、サウンディング参照信号リソースインジケータSRS resource indicator、チャネル状態情報CSI測定設定、およびサウンディング参照信号SRS測定設定
のうちの一または複数の種類をさらに含む。
【００４６】
可能な設計では、第2の指示情報は、擬似コロケーションQCL指示情報をさらに含む。
【００４７】
可能な設計では、QCL指示情報は、
遅延スプレッド、ドップラースプレッド、ドップラーシフト、平均利得、平均遅延、到来角AOA、出発角AOD、平均AOA、平均AOD、送信ビーム、受信ビーム、受信アンテナ空間関係パラメータ、およびリソース識別子
の情報のうちの一または複数の種類を含み、
リソース識別子は、チャネル状態情報参照信号リソースインジケータCSI−RS resource indicator、またはサウンディング参照信号リソースインジケータSRS resource indicatorであり得る。
【００４８】
可能な設計では、第1の指示情報および第2の指示情報は、以下のメッセージ、すなわち、
物理ダウンリンク制御チャネルPDCCHメッセージ、または無線リソース制御RRCメッセージ、またはメディアアクセス制御制御要素MAC CE
のうちの任意の1つまたは複数の中にカプセル化されることによって端末装置に送信される。
【００４９】
可能な設計では、受信リソースは受信ビームまたは受信ポートであり、送信リソースは送信ビームまたは送信ポートである。
【００５０】
本発明の実施形態で提供される技術的解決策によれば、基地局が端末の受信リソースまたは送信リソースを示す場合、リソース指示オーバーヘッドを減らすことができる。
【００５１】
第4の態様によれば、端末は、
基地局から、第1のリソースの構成情報を示すために使用される第1の指示情報と、第2のリソースと第1のリソースとの間の関係を示すために使用される第2の指示情報とを受信するよう構成されたトランシーバと、
第1の指示情報および第2の指示情報に基づいて、自身の受信リソースまたは送信リソースを決定するよう構成されたプロセッサと
を含む。
【００５２】
可能な設計では、第1の指示情報は、第1のリソースの種類および／または第1のリソースの長さを含む。
【００５３】
可能な設計では、第1のリソースの種類は、基地局の送信リソースと時間単位との間の関係、または端末の送信リソースと時間単位との間の関係を示すために使用される。
【００５４】
可能な設計では、第1の種類の第1のリソースは、送信リソースが同じ時間単位内の異なるサブ時間単位にわたって同じであり、送信リソースが異なる時間単位にわたって異なることを示す。
【００５５】
可能な設計では、第2の種類の第1のリソースは、送信リソースが同じ時間単位内の異なるサブ時間単位にわたって異なり、送信リソースが異なる時間単位にわたって同じであることを示す。
【００５６】
可能な設計では、第3の種類の第1のリソースは、第1の種類と第2の種類との組み合わせを示す。
【００５７】
可能な設計では、第1のリソースの長さは時間単位の数を含む。
【００５８】
可能な設計では、第2の指示情報は、以下の情報、すなわち、
時間単位識別子、サブ時間単位識別子、および参照信号受信電力RSRPシーケンス番号
のうちの一または複数の種類を含む。
【００５９】
可能な設計では、第2の指示情報は、以下の情報、すなわち、チャネル状態情報参照信号リソースインジケータCSI−RS resource indicator、サウンディング参照信号リソースインジケータSRS resource indicator、チャネル状態情報CSI測定設定、およびサウンディング参照信号SRS測定設定のうちの一または複数の種類をさらに含む。
【００６０】
可能な設計では、第2の指示情報は、QCL指示情報をさらに含む。
【００６１】
可能な設計では、QCL指示情報は、遅延スプレッド、ドップラースプレッド、ドップラーシフト、平均利得、平均遅延、到来角AOA、出発角AOD、平均AOA、平均AOD、送信ビーム、受信ビーム、受信アンテナ空間関係パラメータ、およびリソース識別子の情報のうちの一または複数の種類であり、リソース識別子は、チャネル状態情報参照信号リソースインジケータCSI−RS resource indicator、またはサウンディング参照信号リソースインジケータSRS resource indicatorであり得る。
【００６２】
可能な設計では、受信リソースは受信ビームまたは受信ポートを含み、送信リソースは送信ビームまたは送信ポートを含む。
【００６３】
本発明の実施形態で提供される技術的解決策によれば、基地局が端末の受信リソースまたは送信リソースを示す場合、リソース指示オーバーヘッドを減らすことができる。
【００６４】
本願の他の態様は、コンピュータ可読記憶媒体を提供する。コンピュータ可読記憶媒体は命令を記憶する。命令がコンピュータ上で実行されるとき、コンピュータは前述の態様における方法を実行する。
【００６５】
本願のさらに別の態様は、命令を含むコンピュータプログラム製品を提供する。命令がコンピュータ上で実行されるとき、コンピュータは前述の態様における方法を実行する。
【００６６】
本発明の実施形態で提供される技術的解決策によれば、基地局が端末の受信リソースまたは送信リソースを示す場合、リソース指示オーバーヘッドを減らすことができる。
【００６７】
本発明の実施形態の技術的解決策をより明確に説明するために、実施形態を説明するために必要な添付図面を以下に簡単に説明する。明らかに、以下の説明における添付の図面は、本発明のいくつかの実施形態を示すに過ぎず、当業者は創造的な努力なしにこれらの添付図面から他の図面を得てもよい。
【図面の簡単な説明】
【００６８】
【図１】ビームを用いることによる基地局と端末との間の通信の概略図である。
【図２】本発明の一実施形態による基地局および端末の概略構造図である。
【図３】本発明の方法の実施形態による通信方法の概略的な相互作用図である。
【図４】本発明の一実施形態による通信方法の相互作用図である。
【図５】本発明の一実施形態による1つの種類の構成情報の概略図である。
【図６】本発明の一実施形態による他の種類の構成情報の概略図である。
【図７】本発明の一実施形態による他の種類の構成情報の概略図である。
【図８Ａ】本発明の一実施形態による他の種類の構成情報の概略図である。
【図８Ｂ】本発明の一実施形態による他の種類の構成情報の概略図である。
【図９】本発明の一実施形態による他の種類の構成情報の概略図である。
【図１０Ａ】本発明の一実施形態による他の種類の構成情報の概略図である。
【図１０Ｂ】本発明の一実施形態による他の種類の構成情報の概略図である。
【図１１Ａ】本発明の一実施形態による他の種類の構成情報の概略図である。
【図１１Ｂ】本発明の一実施形態による他の種類の構成情報の概略図である。
【図１２】本発明の一実施形態による基地局の概略構造図である。
【図１３】本発明の一実施形態による基地局の概略構造図である。
【図１４】本発明の一実施形態による端末の概略構造図である。
【発明を実施するための形態】
【００６９】
本発明の目的、特徴、および利点をより明確かつより分かりやすくするために、以下は本発明の実施形態における添付図面を参照して本発明の実施形態における技術的解決策を明確かつ完全に説明する。明らかに、以下に記載された実施形態は、本発明の実施形態のすべてではなく一部である。本発明の実施形態に基づいて当業者によって得られる他のすべての他の実施形態は、本発明の保護範囲内に入るものとする。
【００７０】
本発明の明細書、特許請求の範囲、および添付の図面において、「第1」、「第2」などの用語は、類似の対象を区別することを意図しているが、必ずしも特定の順序または順序を示すものではない。そのように使用される用語は、適切な状況では交換可能であり、これは、同じ属性を有する対象が本発明の実施形態において説明されるときに使用される単なる識別方法であることを理解されたい。さらに、用語「含む」、「含有する」および他の変形は、非排他的な包含をカバーすることを意味し、したがって一連のユニットを含むプロセス、方法、システム、製品、または装置は必ずしもそれらのユニットに限定されないが、明示的に列挙されていないか、またはそのようなプロセス、方法、システム、製品、または装置に固有の他のユニットを含むことができる。
【００７１】
本発明の実施形態の技術的解決策は、汎欧州デジタル移動電話方式（Global System of Mobile Communication、略して「GSM（登録商標）」）、符号分割多元接続（Code Division Multiple Access、略して「CDMA」）システム、広帯域符号分割多元接続（Wideband Code Division Multiple Access、略して「WCDMA（登録商標）」）システム、一般的なパケット無線サービス（General Packet Radio Service、略して「GPRS」）システム、ロングタームエボリューション（Long Term Evolution、略して「LTE」）システム、LTE周波数分割複信（Frequency Division Duplex、略して「FDD」）システム、LTE時分割複信（Time Division Duplex、略して「TDD」）およびユニバーサル移動体通信システム（Universal Mobile Telecommunication System、略して「UMTS」）、ワールドワイド・インターオペラビリティ・フォー・マイクロウェーブ・アクセス（Worldwide Interoperability for Microwave Access、略して「WiMAX」）通信システム、将来の5Gシステムなどの様々な通信システムに適用されてもよい。
【００７２】
本発明における端末は、無線アクセスネットワーク（Radio Access Network、RAN）を使用することにより、1つまたは複数のコアネットワークと通信してもよい。ユーザ機器は、アクセス端末、加入者ユニット、加入者局、モバイル局、モバイルコンソール、リモート局、リモート端末、モバイル装置、ユーザ端末、端末、無線通信装置、ユーザエージェント、またはユーザ装置と呼ばれてもよい。アクセス端末は、携帯電話、コードレス電話、セッション開始プロトコル（Session Initiation Protocol、略して「SIP」）電話、無線ローカルループ（Wireless Local Loop、略して「WLL」）局、パーソナルデジタルアシスタント（Personal Digital Assistant、略して「PDA」）、無線通信機能を有するハンドヘルド型装置、コンピューティング装置、無線モデムに接続された他の処理装置、車載装置、ウェアラブル装置、および将来の5Gネットワークにおける端末であり得る。
【００７３】
本発明における基地局は、端末と通信するよう構成されたネットワーク側装置でありうる。例えば、基地局は、GSM（登録商標）システムまたはCDMAシステムにおける基地トランシーバ局（Base Transceiver Station、略して「BTS」）であってもよく、WCDMA（登録商標）システムにおけるNodeB（NodeB、略して「NB」）であってもよく、またはLTEシステムにおけるevolved NodeB（Evolved NodeB、略して「eNB」または「eNodeB」）であってもよい。あるいは、ネットワーク装置は、中継局、アクセスポイント、車載装置、ウェアラブル装置、将来の5GネットワークにおけるgNB、将来のevolved PLMNネットワークにおけるネットワーク側装置などであり得る。
【００７４】
図2は、本発明の一実施形態による通信ネットワーク200の概略構造図である。ネットワーク装置202は、そのカバレッジエリア内の端末204〜210のアップリンクおよびダウンリンク通信を管理する（例えば、携帯電話およびノートブックコンピュータが図2中の端末として使用され、図2の端末は、上記の他の端末装置でもあり得る）。ネットワーク装置202は、セルラータワー、eNodeB、gNB、送信受信ポイント（Transmission Reception Point、TRP）、アクセスネットワーク、基地局BSなどとも呼ばれることがある。ネットワーク装置202は、同時に複数のビームの伝送をサポートしてもよい。
【００７５】
なお、本発明の実施形態で説明するダウンリンク方向は、基地局から端末装置への方向であり、アップリンク方向は、端末装置から基地局への方向である。本発明の実施形態で説明される受信リソースは受信ビームまたは受信ポートであり得、送信リソースは送信ビームまたは送信ポートであり得る。
【００７６】
5G通信では、基地局および端末装置は、データを送信する前にビーム測定（ビーム掃引とも呼ばれる）のプロセスを経る必要があることをさらに理解されたい。ダウンリンクでは、基地局が端末に1つまたは複数の特定のダウンリンク受信リソースを使用するよう命令するとき、基地局は、現在使用中のダウンリンク送信リソースおよび前の測定で使用されたダウンリンク送信リソースが、パラメータに関してQCLであることを端末に示すだけでよい。指示を受信した後、端末は、前のビーム測定で使用されたダウンリンク送信リソースに対応するダウンリンク受信リソースを使用することによって基地局からダウンリンク送信リソースを受信することができる。アップリンクでは、基地局が1つまたは複数の特定のアップリンク送信リソースを使用するよう端末に指示する場合、基地局はまた、現在使用中のアップリンク送信リソースおよび前の測定で使用されたアップリンク送信リソースがパラメータに関してQCLであることを端末に示すだけでよい。指示を受信した後、端末は、前のビーム測定で使用されたアップリンク受信リソースに対応するアップリンク送信リソースを使用することができる。
【００７７】
ビーム管理に関しては、2016年10月に開催されたRAN1＃86会議で到達した関連する結論には、ダウンリンクビーム管理のための3つの機構が含まれる（アップリンクビーム管理の基準は決定されていない）。
【００７８】
第1の手順（Procedure 1、略してP1）では、端末装置は、異なるダウンリンク受信ビームを用いて基地局からの異なるダウンリンク送信ビームを測定し、基地局のダウンリンク送信ビームと端末側のダウンリンク受信ビームとを決定する。
【００７９】
第2の手順（Procedure 2、略してP2）では、端末装置は、同じダウンリンク受信ビームを用いて基地局からの異なるダウンリンク送信ビームを測定し、基地局のダウンリンク送信ビームを決定する。
【００８０】
第3の手順（Procedure 3、略してP3）では、端末装置は、異なるダウンリンク受信ビームを用いて基地局からの同じダウンリンク送信ビームを測定し、端末側のダウンリンク受信ビームを決定する。
【００８１】
ビームに関する議論は現在RAN1においてのみ行われ、送信ポートまたは受信ポートに関する議論は行われていないが、本発明の実施形態における送信リソースおよび受信リソースは両方ともビームまたはポートを含むことを理解されたい。
【００８２】
最近終了した3GPP RAN1＃87会議では、ダウンリンクビーム管理（beam management）（アップリンクビーム管理については議論されていない）の議論において、擬似コロケーション（Quasi−co−located、略してQCL）がサポートされ、端末にダウンリンク制御チャネルの受信リソースを決定するように命令するために使用される。一般に、当業者は、2つのポート間のQCL関係が、2つのアンテナポートに対応する参照信号が同一または類似のパラメータを有することを意味すること、またはQCL関係が、端末装置が1つのアンテナポートのパラメータに基づいて、アンテナポートとQCL関係を持つ他のアンテナポートのパラメータを決定してもよいことを意味すること、またはQCL関係が2つのアンテナポートが同じまたは類似のパラメータを持つことを意味すること、またはQCL関係が、2つのアンテナポート間のパラメータ差が所定の閾値よりも小さいことを意味することを理解すべきである。パラメータは、遅延スプレッド（Delay Spread）、ドップラースプレッド（Doppler Spread）、ドップラーシフト（Doppler Shift）、平均利得（Average Gain）、平均遅延（Average Delay）、到来角AOA（Angle of Arrival）、出発角AOD（Angle of Departure）、平均AOA（Average Angle of Arrival）、平均AOD（Average Angle of Departure）、送信ビーム（Transmitting beams）、受信ビーム（Receiving beams）、受信アンテナ空間関係（Spatial relation）パラメータ、およびリソース識別子のうちの少なくとも1つであり得る。ビームは、プレコード、重みシーケンス番号、およびビームシーケンス番号のうちの少なくとも1つを含む。角度は、異なる次元の分解値、または異なる次元の分解値の組み合わせであり得る。アンテナポートは、異なるアンテナポート番号を有するアンテナポート、および／または同じアンテナポート番号を有し、異なる期間および／または周波数および／またはコードドメインリソースで情報を送信または受信するために使用されるアンテナポート、および／または異なるアンテナポート番号を有し、異なる期間および／または周波数および／またはコードドメインリソースで情報を送信または受信するために使用されるアンテナポートである。リソース識別子は、チャネル状態情報参照信号（Channel State Information Reference Signal、CSI−RS）リソース識別子またはサウンディング参照信号（Sounding Reference Signal、SRS）リソース識別子を含み、リソース上のビームを示すために使用される。
【００８３】
2016年11月に開催されたRAN1＃87会議では、時間単位（Time Unit、TU）とサブ時間単位（Sub Time Unit、STU）が定義され、各時間単位は1つまたは複数のサブ時間単位を含む。各時間単位は、1つまたは複数のOFDMシンボルを含み得る。現在の規格は、送信リソースと時間単位との間の関係を識別するための3つのオプションのさらなる研究に同意しており、3つのオプションは、図3に示すように、それぞれオプション1、2および3と呼ばれる。
【００８４】
オプション1（option 1）：送信ビームは、同じTU内の異なるSTUにわたって同じであり、送信ビームは異なるTUにわたって異なる（Tx beam（s） are same across sub−time units within each time unit， Tx beam（s） are different across time units）。
【００８５】
オプション2（option 2）：送信ビームは、同じTU内の異なるSTUにわたって異なり、送信ビームは異なるTUにわたって同じである（Tx beam（s） are different across sub−time units within each time unit， Tx beam（s） are same across time units）。
【００８６】
オプション3（option 3）：このオプションは、オプション1とオプション2の組み合わせである。送信ビームは、同じTU内のすべてのSTUで同じであり、送信ビームは、異なるTU内の異なるサブ時間単位にわたって異なる。
【００８７】
オプション1の構成では、構成情報が端末の受信リソースを示す場合、各時間単位における異なるサブ時間単位において基地局によって端末装置へ送信される送信ビームは同じであり、異なる時間単位のそれぞれにおいて基地局によって端末装置に送信される送信ビームは、異なることを理解されたい。4つの送信ビームが図3で一例として用いられる。
【００８８】
オプション2の構成では、構成情報が端末の受信リソースを示す場合、各時間単位に異なるサブ時間単位で基地局によって端末装置に送信される送信ビームは異なり、異なる時間単位のそれぞれにおいて基地局によって端末装置に送信される送信ビームは、同じであることを理解されたい。4つの送信ビームが図3で一例として用いられる。
【００８９】
本特許出願では、オプション1のTUをTU 1と定義し、オプション2のTUをTU 2と定義し、オプション3のTUをTU 3と定義する。したがって、TU 3は実際にはTU 1とTU 2の組み合わせである。
【００９０】
本発明の実施形態の中核となる概念は、次のとおりである。すなわち、ダウンリンクの場合、基地局は構成情報を端末装置に送信し、構成情報は何らかの指示情報を運び、端末装置は指示情報に基づいて自身のダウンリンク受信リソースを決定する。アップリンクの場合、基地局は構成情報を送信し、構成情報は指示情報を運び、端末は指示情報に基づいて自身のアップリンク送信リソースを決定する。ダウンリンク解決策およびアップリンク解決策は、異なる実施形態を使用することによって以下に別々に説明される。
【００９１】
本発明の一実施形態は、リソース指示方法400を提供する。図4に示すように、方法は、以下のステップを含む。
【００９２】
ステップ410：基地局は第1の指示情報を決定し、第1の指示情報は第1のリソースの構成情報を示すために使用される。
【００９３】
ステップ420：基地局は第2の指示情報を決定し、第2の指示情報は第2のリソースと第1のリソースとの間の関係を示すために使用される。
【００９４】
ステップ430：基地局は第1の指示情報と第2の指示情報とを端末に送信する。
【００９５】
ステップ440：端末は、第1の指示情報と第2の指示情報とに基づいて、自身の受信リソースを決定する。
【００９６】
第1のリソースの構成情報は、第1のリソースの種類および／または第1のリソースの長さを含み得る。
【００９７】
任意選択で、第1のリソースの種類は、基地局の送信リソースと時間単位（ダウンリンク用）との間の関係、または端末の送信リソースと時間単位（アップリンク用）との間の関係を示すために使用される。第1のリソースの長さは、時間単位の数を示すために使用される。時間の単位については、RAN1＃87会議で到達した結論のTUの定義を参照する。具体的には、1つの時間単位は、1つまたは複数のOFDMシンボルの時間−周波数リソースを含む。
【００９８】
具体的には、本発明のこの実施形態における第1のリソースの種類は、TU 1、TU 2、またはTU 3であり得るか、またはオプション1、オプション2、またはオプション3であり得る。第1のリソースの長さは、TUの数であり得る。例えば、リソース種類は2ビットを含む。1ビットの値が01である場合、そのビットは測定リソース種類がTU 1であることを識別するために使用され、値が10の場合、そのビットは測定リソース種類がTU 2であることを識別するために使用され、値が11である場合、そのビットは測定リソース種類がTU3であることを識別するために使用される。
【００９９】
例えば、第1の種類の第1のリソースは、送信リソースが同じ時間単位内の異なるサブ時間単位にわたって同じであり、送信リソースが異なる時間単位にわたって異なることを示す。第2の種類の第1のリソースは、送信リソースが同じ時間単位内の異なるサブ時間単位にわたって異なり、送信リソースが異なる時間単位にわたって異なることを示す。第3の種類の第1のリソースは、第1の種類と第2の種類との組み合わせを示す。送信リソースが同じ時間単位内のすべてのサブ時間単位にわたって同じであり、送信リソースが異なる時間単位における異なるサブ時間単位にわたって異なる。
【０１００】
時間単位の数は帯域またはアプリケーションのシナリオによって異なり、数から数百または数千にさえ及ぶことを理解されたい。各時間単位は複数のサブ時間単位を含み、1つのサブ時間単位は1つの送信リソースに対応し得る。
【０１０１】
第2の指示情報は、時間単位識別子、サブ時間単位識別子、および参照信号受信電力（Reference signal reception power、RSRP）シーケンス番号の情報のうちの一または複数の種類を含み得る。
【０１０２】
任意選択で、第2の指示情報は、チャネル状態情報参照信号リソースインジケータ（channel state information reference signal resource indicator、CSI−RS resource indicator）、サウンディング参照信号リソースインジケータ（sounding reference signal resource indicator、SRS resource indicator）チャネル状態情報CSI測定設定、およびサウンディング参照信号SRS測定設定の情報のうちの一または複数の種類をさらに含み得る。本発明のこの実施形態は、いくつかの例を用いて以下にさらに説明される。
【０１０３】
ダウンリンク解決策：実施形態1
例1：図5に示されるように、基地局は第1の指示情報を構成し、第1の指示情報は第1のリソースの種類および／またはTUの長さを含み、図5の第1のリソースの種類はTU 1であり、TUの長さはNであり、Nは1より大きい整数である。
【０１０４】
任意選択で、第1の指示情報は、各TUに含まれるSTUの数を示す指示情報をさらに含み得る。
【０１０５】
基地局は第2の指示情報を構成し、第2の指示情報はTU識別子を含み、TU識別子は第1の指示情報に構成されたすべてのTUの長さに対するTUの位置情報である。例えば、図5に合計4つのTUがある場合、4つのTUは2ビットを使用することによって識別され得る。例えば、第1のTUは00、第2のTUは01、第3のTUは10、第4のTUは11である。
【０１０６】
任意選択で、第2の指示情報はさらに、STUの数またはSTUの識別情報を含み得る。
【０１０７】
任意選択で、第2の指示情報は、QCL指示情報をさらに含み得る。例えば、情報は、指示情報によって占められるフィールドをQCL指示フィールドとして定義することによってデフォルトで運ばれてもよく、基地局によって現在使用されている送信リソースおよび第1の指示情報において構成された測定リソースにおいてTU識別子のために使用される送信リソースが、パラメータに関してQCLであることを識別するために使用される。例えば、パラメータは到来角（angle of arrival、AOA）である。これは、2つの送信リソースが端末に到着するAOAが同じであることを示すか、または端末が2つの送信リソースに対して同じダウンリンク受信リソースを使用することができることを示す。同様に、他のパラメータの例は、本明細書において1つずつ列挙されていないが、それは当業者によって理解されるべきである。
【０１０８】
また、図5に示すように、1つのTUは、1つの送信リソースが複数の受信リソースに対応することを示す複数のSTUをさらに含み、端末は、複数の受信リソースから自身の1つまたは複数の受信リソースを決定する必要がある。例えば、可能な実施は、次の通りである。すなわち、基地局および端末は、デフォルトで、ビーム測定プロセスにおいて最大のRSRPを有する1つまたは複数のビームを使用することによって、基地局からダウンリンク送信ビームを受信することを事前に定義し、その結果、端末は、自身の以前の測定結果に基づいて、基地局からのダウンリンク送信ビームを受信するために、複数の受信リソースの中で最大のRSRPを有する1つまたは複数の受信ビームを選択することができる。
【０１０９】
例2：図5に示されるように、基地局は第1の指示情報を構成し、第1の指示情報は第1のリソースの種類および／またはTUの長さを含み、図5の第1のリソースの種類はTU 1であり、TUの長さはNであり、Nは1より大きい整数である。
【０１１０】
任意選択で、第1の指示情報は、各TUに含まれるSTUの数を示す指示情報をさらに含み得る。
【０１１１】
基地局は第2の指示情報を構成し、第2の指示情報はRSRPシーケンス番号を含む。すべてのTUの測定が完了した後に、端末が一度に報告を行う報告モードが、一例として使用される。基地局は、端末の以前の報告結果を用いて端末のRSRP報告シーケンスに基づいて、端末に1つまたは複数のシーケンス番号を示す。端末は、端末の以前に報告された内容を参照して、自身の受信ビームを決定することができる。例えば、端末は、前にRSRP0、RSRP1、RSRP2、RSRP3を報告し、2ビットを用いてRSRPを識別する。例えば、00はRSRP0を識別するために使用され、01はRSRP1を識別するために使用され、10はRSRP2を識別するために使用され、11はRSRP3を識別するために使用される。基地局の第2の指示情報が11を示す場合、RSRP3を有する受信ビームを識別するために11が使用される。したがって、端末はまた、基地局によって示されたRSRPシーケンス番号に基づいて、自身の受信リソースを決定することができる。
【０１１２】
任意選択で、第2の指示情報は、QCL指示情報をさらに含み得る。例えば、指示情報によって占められるフィールドはQCL指示フィールドとして定義することができ、基地局の現在の送信リソースおよびRSRPシーケンス番号に対応する送信リソースがパラメータに関してQCLであることを識別する。例えば、パラメータは端末側のAOAである。これは、2つの送信リソースが端末側に到着するAOAが同じであることを示している。言い換えれば、端末は、前の測定で使用されたものと同じ受信ビームを使用することによって基地局のダウンリンク送信ビームを受信することができる。同様に、他のパラメータの例は、本明細書において1つずつ列挙されていないが、それは当業者によって理解されるべきである。
【０１１３】
例3：図5に示されるように、基地局は第1の指示情報を構成し、第1の指示情報は第1のリソースの種類および／またはTUの長さを含み、図5の第1のリソースの種類はTU 1であり、TUの長さはNであり、Nは1より大きい整数である。
【０１１４】
任意選択で、第1の指示情報は、各TUに含まれるSTUの数を示す指示情報をさらに含み得る。
【０１１５】
基地局は第2の指示情報を構成し、第2の指示情報はSTU識別子を含み、STU識別子は1つのTU内のSTUの位置情報である。例えば、図5の1つのTUは合計4つのSTUを有する。4つのSTUは、第1のSTUが00、第2のSTUが01、第3のSTUが10、および第4のSTUが11である、2ビットを使用することによって識別され得る。
【０１１６】
任意選択で、第2の指示情報は、QCL指示情報をさらに含み得る。例えば、指示情報によって占められるフィールドは、現在の掃引において基地局によって使用される送信リソースと、第1の指示情報において構成された掃引リソース内のSTU識別子に使用される送信リソースとが、パラメータに関してQCLであることを識別するために、QCL指示フィールドとして定義され得る。例えば、パラメータは端末側のAOAである。これは、2つの送信リソースが端末側に到着するAOAが同じであることを示している。言い換えれば、端末は、前の測定で使用されたものと同じ受信ビームを使用することによって基地局のダウンリンク送信ビームを受信することができる。同様に、他のパラメータの例は、本明細書において1つずつ列挙されていないが、それは当業者によって理解されるべきである。
【０１１７】
端末は各TU内のすべてのSTUを横断する。したがって、STU識別子のみを示す必要があり、端末はどの受信リソースを使用するかを決定することができる。
【０１１８】
当業者は、例1〜例3において、第2の指示情報が別々にTU識別子、STU識別子、であり、RSRPシーケンス番号は説明のための例として使用されることを理解されたい。第2の指示情報がTU識別子およびSTU識別子、またはTU識別子およびRSRPシーケンス番号、またはSTU識別子およびRSRPシーケンス番号を含む場合、端末はまた受信リソースを決定してもよく、詳細は本明細書では再度説明されない。
【０１１９】
例4：図5に示されるように、基地局は第1の指示情報を構成し、第1の指示情報は第1のリソースの種類および／またはTUの長さを含み、図5の第1のリソースの種類はTU 1であり、TUの長さはNであり、Nは1より大きい整数である。
【０１２０】
任意選択で、第1の指示情報は、各TUに含まれるSTUの数を示す指示情報をさらに含み得る。
【０１２１】
基地局は第2の指示情報を構成し、第2の指示情報はTU識別子およびRSRPシーケンス番号を含み、RSRPシーケンス番号は、TUの測定が完了するたびに端末がTUにおいて測定結果を報告する報告モードに固有である。TU識別子は、第1の指示情報に構成された全TUの長さに対するTUの位置情報である。例えば、図5に合計4つのTUがある場合、対応するTUは、2ビットを使用することによって識別することができ、第1のTUは00、第2のTUは01、第3のTUは10、および第4のTUは11である。
【０１２２】
RSRPシーケンス番号は、端末の以前の報告結果を用いて端末の報告シーケンスに基づいて、基地局が端末に1つまたは複数のシーケンス番号を示すことを示す。端末は、端末の以前に報告された内容を参照して、自身の受信ビームを決定することができる。例えば、端末は、前にRSRP0、RSRP1、RSRP2、RSRP3を報告し、2ビットを用いてRSRPを識別する。例えば、00はRSRP0を識別するために使用され、01はRSRP1を識別するために使用され、10はRSRP2を識別するために使用され、11はRSRP3を識別するために使用される。基地局が11を示す場合、11はRSRP3を有する受信ビームに対応する。
【０１２３】
例4および例5はQCL指示情報を含まず、端末は第1の指示情報と第2の指示情報とに基づいて自身の受信リソースを決定してもよいことを理解されたい。
【０１２４】
例5：図5に示されるように、基地局は第1の指示情報を構成し、第1の指示情報は第1のリソースの種類および／またはTUの長さを含み、図5の第1のリソースの種類はTU 1であり、TUの長さはNであり、Nは1より大きい整数である。
【０１２５】
任意選択で、第1の指示情報は、各TUに含まれるSTUの数を示す指示情報をさらに含み得る。
【０１２６】
基地局は第2の指示情報を構成し、第2の指示情報はRSRPシーケンス番号を含み、RSRPシーケンス番号はすべてのTUの測定が完了した後に端末が一度に報告を実行する報告モードに固有である。基地局は、端末の以前の報告結果を用いて端末の報告シーケンスに基づいて、端末に1つまたは複数のシーケンス番号を示す。端末は、端末の以前に報告された内容を参照して、自身の受信ビームを決定することができる。例えば、端末は、前にRSRP0、RSRP1、RSRP2、RSRP3を報告し、2ビットを用いてRSRPを識別する。例えば、00はRSRP0を識別するために使用され、01はRSRP1を識別するために使用され、10はRSRP2を識別するために使用され、11はRSRP3を識別するために使用される。基地局が11を示す場合、11はRSRP3を有する受信ビームに対応する。このようにして、端末の報告された内容を参照して指示が行われ、すべての測定結果が端末によって報告されない場合、完全な指示方式と比較してオーバーヘッドが減少する。
【０１２７】
また、例1〜例5のいずれかにおいて、端末側に複数のアンテナパネルがある場合、すなわち端末が複数の受信ビームを同時にサポートする場合、第2の指示情報はさらに、同一STU内の複数の受信ビームを区別するために使用されるCSI−RS resource indicator情報を含んでもよい。
【０１２８】
また、例1〜例5のいずれにおいても、さらに、端末が複数のCSI−RS測定設定情報を有する場合、端末は、さらに、特定の測定設定情報について結果を判断する必要がある。この場合、第2の指示情報は、異なるCSI−RS測定設定を区別するために使用されるCSI−RS測定設定情報をさらに含んでもよい。
【０１２９】
同様に、例1〜5のうちのいずれか1つに関して、第2の指示情報は、異なるSRSリソースを区別するために使用されるサウンディング参照信号リソースインジケータSRS resource indicatorをさらに含み得る。
【０１３０】
同様に、例1〜例5のうちのいずれか1つに関して、第2の指示情報は、異なるSRS測定設定を区別するために使用されるサウンディング参照信号SRS測定設定をさらに含むことができる。
【０１３１】
例6：図6において、基地局は第1の指示情報を構成し、第1の指示情報は第1のリソースの種類および／またはTUの長さを含み、図6における第1のリソースの種類はTU2であり、TUの長さはNであり、Nは1より大きく、また、第1指示情報は、1つのTUが4つのSTUを含むことを示す情報をさらに含んでもよい。
【０１３２】
任意選択で、第1の指示情報は、各TUに含まれるSTUの数を示す指示情報をさらに含み得る。
【０１３３】
基地局は第2の指示情報を構成し、第2の指示情報はTU識別子を含み、TU識別子は第1の指示情報に構成されたすべてのTUの長さに対するTUの位置情報である。例えば、図6に合計4つのTUがある場合、対応するTUは、2ビットを使用することによって識別することができ、第1のTUは00、第2のTUは01、第3のTUは10、および第4のTUは11である。
【０１３４】
任意選択で、第2の指示情報は、QCL指示情報をさらに含み得る。例えば、指示情報によって占められるフィールドは、基地局によって現在使用されている送信リソースと、第1の指示情報において構成されている測定リソース内のTU識別子のために使用されている送信リソースとが、パラメータに関してQCLであることを識別するためのQCL指示フィールドとして定義され得る。例えば、パラメータは端末側のAOAである。これは、2つの送信リソースが端末側に到着するAOAが同じであることを示している。言い換えれば、端末は、前の測定で使用されたものと同じ受信ビームを使用することによって基地局の送信ビームを受信することができる。同様に、他のパラメータの例は、本明細書において1つずつ列挙されていないが、それは当業者によって理解されるべきである。
【０１３５】
図6から分かるように、1つのTUに対応するSTUは同じ受信ビームを使用する。したがって、端末は受信ビームを決定するためにTU識別子を必要とするだけである。
【０１３６】
例7：図6において、基地局は第1の指示情報を構成し、第1の指示情報は第1のリソースの種類および／またはTUの長さを含み、図6の第1のリソースの種類はTU 2であり、TUの長さはNであり、Nは1より大きい。
【０１３７】
任意選択で、第1の指示情報は、各TUに含まれるSTUの数を示す指示情報をさらに含み得る。
【０１３８】
基地局は第2の指示情報を構成し、第2の指示情報はRSRPシーケンス番号を含み、RSRPシーケンス番号はすべてのTUの測定が完了した後に端末が一度に報告を実行する報告モードに固有である。基地局は、端末の以前の報告結果を用いて端末のRSRP報告シーケンスに基づいて、端末に1つまたは複数のシーケンス番号を示す。端末は、端末の以前に報告された内容を参照して、自身の受信ビームを決定することができる。例えば、端末は、前にRSRP0、RSRP1、RSRP2、RSRP3を報告し、2ビットを用いてRSRPを識別する。例えば、00はRSRP0を識別するために使用され、01はRSRP1を識別するために使用され、10はRSRP2を識別するために使用され、11はRSRP3を識別するために使用される。基地局の第2の指示情報が11を示す場合、11はRSRP3を有する受信ビームに対応する。したがって、端末はRSRPシーケンス番号に基づいて、自身の受信ビームを決定することができる。
【０１３９】
任意選択で、第2の指示情報は、QCL指示情報をさらに含み得る。例えば、指示情報によって占められるフィールドはQCL指示フィールドとして定義することができ、基地局の現在の送信リソースおよびRSRPシーケンス番号に対応する送信リソースがパラメータに関してQCLであることを識別する。例えば、パラメータは端末側のAOAである。これは、2つの送信リソースが端末側に到着するAOAが同じであることを示している。言い換えれば、端末は、前の測定で使用されたものと同じ受信ビームを使用することによって基地局の送信ビームを受信することができる。同様に、他のパラメータの例は、本明細書において1つずつ列挙されていないが、それは当業者によって理解されるべきである。
【０１４０】
例8：図6において、基地局は第1の指示情報を構成し、第1の指示情報は第1のリソースの種類および／またはTUの長さを含み、図6の第1のリソースの種類はTU 2であり、TUの長さはNであり、Nは1より大きい。
【０１４１】
任意選択で、第1の指示情報は、各TUに含まれるSTUの数を示す指示情報をさらに含み得る。
【０１４２】
基地局は第2の指示情報を構成し、第2の指示情報はSTU識別子を含み、STU識別子は1つのTU内のSTUの位置情報である。例えば、図5の1つのTUに全部で4つのSTUがあり、対応するSTUは、2ビットを使用することによって識別されることができ、第1のSTUは00であり、第2のSTUは01であり、第3のSTUは10であり、第4のSTUは11である。各TUは図6の異なるSTUに対応するため、STUが属する特定のTUは、STU識別子のみに基づいて決定することはできない。この場合、最大のRSRPを有する1つまたは複数のビームがすべてのTU内の対応するSTUにおいて使用されることに合意することができる。したがって、STU識別子のみを示す必要があり、端末はそれに応じて、どの1つまたは複数の受信ビームが使用されるべきかを知ることができる。
【０１４３】
任意選択で、第2の指示情報はQCL情報をさらに含み得る。例えば、情報は、指示情報によって占められるフィールドをQCL指示フィールドとして定義することによってデフォルトで運ばれてもよい。この場合、使用される送信リソースと、第1の指示情報において構成された掃引リソースにおけるSTU識別子のために使用される送信リソースとが、パラメータに関してQCLであることを示す。例えば、パラメータは端末側のAOAである。これは、2つの送信リソースが端末側に到着するAOAが同じであることを示している。言い換えれば、2つのビームに対して同じ受信ビームを使用することができる。同様に、他のパラメータの例は、本明細書において1つずつ列挙されていないが、それは当業者によって理解されるべきである。
【０１４４】
例9：図6において、基地局は第1の指示情報を構成し、第1の指示情報は第1のリソースの種類および／またはTUの長さを含み、図6の第1のリソースの種類はTU 2であり、TUの長さはNであり、Nは1より大きい。
【０１４５】
任意選択で、第1の指示情報は、各TUに含まれるSTUの数を示す指示情報をさらに含み得る。
【０１４６】
基地局は第2の指示情報を構成し、第2の指示情報はTU識別子を含み、TU識別子は、TUの測定が完了するたびに端末がTUにおいて測定結果を報告する報告モードに固有である。TU識別子は、第1の指示情報に構成された全TUの長さに対するTUの位置情報である。例えば、図5に合計4つのTUがある場合、対応するTUは、2ビットを使用することによって識別することができ、第1のTUは00、第2のTUは01、第3のTUは10、および第4のTUは11である。
【０１４７】
例10：図6において、基地局は第1の指示情報を構成し、第1の指示情報は第1のリソースの種類および／またはTUの長さを含み、図6の第1のリソースの種類はTU 2であり、TUの長さはNであり、Nは1より大きい。
【０１４８】
任意選択で、第1の指示情報は、各TUに含まれるSTUの数を示す指示情報をさらに含み得る。
【０１４９】
基地局は第2の指示情報を構成し、第2の指示情報はRSRPシーケンス番号を含み、RSRPシーケンス番号はすべてのTUの測定が完了した後に端末が一度に報告を実行する報告モードに固有である。基地局は、端末の以前の報告結果を用いて端末の報告シーケンスに基づいて、端末に1つまたは複数のシーケンス番号を示す。端末は、端末の以前に報告された内容を参照して、自身の受信ビームを決定することができる。例えば、端末は、前にRSRP0、RSRP1、RSRP2、RSRP3を報告し、2ビットを用いてRSRPを識別する。例えば、00はRSRP0を識別するために使用され、01はRSRP1を識別するために使用され、10はRSRP2を識別するために使用され、11はRSRP3を識別するために使用される。基地局が第2の指示情報を使用して11を示す場合、11はRSRP3を有する受信ビームに対応する。したがって、端末はRSRPシーケンス番号に基づいて、自身の受信リソースを決定することができる。
【０１５０】
例9および例10における第2の指示情報はQCL指示情報を運ばず、端末はまた第1の指示情報と第2の指示情報とに基づいて、自身の受信リソースを決定してもよいことを理解されたい。
【０１５１】
また、例6〜例10のいずれかにおいて、端末側に複数のアンテナパネルがある場合、すなわち端末が複数の受信ビームを同時にサポートする場合、第2の指示情報はさらに、同一STU内の複数の受信ビームを区別するために使用されるCSI−RSリソースインジケータ情報を含んでもよい。
【０１５２】
また、例6〜例10のいずれにおいても、さらに、端末が複数のCSI−RS測定設定情報を有する場合、端末は、さらに、特定の測定設定情報について結果を判断する必要がある。この場合、第2の指示情報は、異なるCSI−RS測定設定を区別するために使用されるCSI−RS測定設定情報をさらに含んでもよい。
【０１５３】
同様に、例6〜例10のうちのいずれか1つに関して、第2の指示情報は、異なるSRSリソースを区別するために使用されるサウンディング参照信号リソースインジケータSRS resource indicatorをさらに含み得る。
【０１５４】
同様に、例6〜例10のうちのいずれか1つに関して、第2の指示情報は、異なるSRS測定設定を区別するために使用されるサウンディング参照信号SRS測定設定をさらに含むことができる。
【０１５５】
例11：図7では、基地局は最初に送信にワイドビームを使用し、端末はポーリングモードで受信にナロービームを使用する。その後、端末は、1つまたは複数のナロービームを決定し、ナロービームが変更されないままである場合、ナロービームを使用することによってポーリングを実行することを基地局に許可する。基地局は第1の指示情報を構成し、第1の指示情報は第1のリソースの種類および／またはTUの長さを含む。図7の第1のリソースの種類は、TU1およびTU2の両方を含む。
【０１５６】
（1）TU1の長さが1、TU2の長さが1である場合、端末の受信ビームは示される必要はない。
【０１５７】
（2）TU 1の長さが1であり、TU 2の長さがNであり、Nが1より大きい場合、この場合は例10と同様であり、前述の指示方法が使用されうる。
【０１５８】
任意選択で、第1の指示情報は、各TUに含まれるSTUの数を示す指示情報をさらに含み得る。
【０１５９】
基地局は第2の指示情報を構成し、第2の指示情報はTU識別子を含み、TU識別子は第1の指示情報に構成されたすべてのTUの長さに対するTUの位置情報である。例えば、図6に合計4つのTUがある場合、4つのTUは2ビットを使用することによって識別することができ、第1のTUは00、第2のTUは01、第3のTUは10、および第4のTUは11である。
【０１６０】
任意選択で、第2の指示情報は、QCL指示情報をさらに含み得る。例えば、情報は、指示情報によって占められるフィールドをQCL指示フィールドとして定義することによってデフォルトで運ばれてもよい。この場合、使用される送信リソースと、第1の指示情報において構成された掃引リソースにおけるTU識別子のために使用される送信リソースとが、パラメータに関してQCLであることを示す。例えば、パラメータは端末側のAOAである。これは、2つの送信リソースが端末側に到着するAOAが同じであることを示している。言い換えれば、端末は、前の測定で使用されたものと同じ受信ビームを使用することによって基地局のダウンリンク送信ビームを受信することができる。
【０１６１】
図6から分かるように、1つのTUに対応するSTUは同じ受信ビームを使用する。したがって、端末は受信ビームを決定するためにTU識別子を必要とするだけである。
【０１６２】
例12：図7では、基地局は最初に送信にワイドビームを使用し、端末はポーリングモードで受信にナロービームを使用する。その後、端末は、1つまたは複数のナロービームを決定し、ナロービームが変更されないままである場合、ナロービームを使用することによってポーリングを実行することを基地局に許可する。基地局は第1の指示情報を構成し、第1の指示情報は第1のリソースの種類および／またはTUの長さを含む。図7の例における第1のリソースの種類は、TU1およびTU2の両方を含む。
【０１６３】
（1）TU1の長さが1、TU2の長さが1である場合、端末の受信ビームは示される必要はない。
【０１６４】
（2）TU 1の長さが1であり、TU 2の長さがNであり、Nが1より大きい場合、この場合は例10と同様であり、前述の指示方法を使用することができる。
【０１６５】
任意選択で、第1の指示情報は、各TUに含まれるSTUの数を示す指示情報をさらに含み得る。
【０１６６】
基地局は第2の指示情報を構成し、第2の指示情報はRSRPシーケンス番号を含む。すべてのTUの測定が完了した後に、端末が一度に報告を行う報告モードが、一例として使用される。基地局は、端末の以前のRSRP報告結果を用いて端末の報告シーケンスに基づいて、端末に1つまたは複数のシーケンス番号を示す。端末は、端末の以前に報告された内容を参照して、自身の受信ビームを決定することができる。例えば、端末は、前にRSRP0、RSRP1、RSRP2、RSRP3を報告し、2ビットを用いてRSRPを識別する。例えば、00はRSRP0を識別するために使用され、01はRSRP1を識別するために使用され、10はRSRP2を識別するために使用され、11はRSRP3を識別するために使用される。基地局の第2の指示情報が11を示す場合、11はRSRP3を有する受信ビームに対応する。したがって、端末はRSRPシーケンス番号に基づいて、自身の受信ビームを決定することができる。
【０１６７】
任意選択で、第2の指示情報はQCL情報をさらに含み得る。例えば、情報は、指示情報によって占められるフィールドをQCL指示フィールドとして定義することによってデフォルトで運ばれてもよい。この場合、使用される送信リソースとRSRPシーケンス番号に対応する送信リソースがパラメータに関してQCLであることを示す。例えば、パラメータは端末側のAOAである。これは、2つの送信リソースが端末側に到着するAOAが同じであることを示している。言い換えれば、端末は、前の測定で使用されたものと同じ受信ビームを使用することによって基地局のダウンリンク送信ビームを受信することができる。
【０１６８】
例13：図7では、基地局は最初に送信にワイドビームを使用し、端末はポーリングモードで受信にナロービームを使用する。その後、端末は、1つまたは複数のナロービームを決定し、ナロービームが変更されないままである場合、ナロービームを使用することによってポーリングを実行することを基地局に許可する。基地局は第1の指示情報を構成し、第1の指示情報は第1のリソースの種類および／またはTUの長さを含む。図7の例における第1のリソースの種類は、TU1およびTU2の両方を含む。
【０１６９】
（1）TU1の長さが1、TU2の長さが1である場合、端末の受信ビームは示される必要はない。
【０１７０】
（2）TU 1の長さが1であり、TU 2の長さがNであり、Nが1より大きい場合、この場合は前の例と同様であり、前述の指示方法を使用することができる。
【０１７１】
任意選択で、第1の指示情報は、各TUに含まれるSTUの数を示す指示情報をさらに含み得る。
【０１７２】
基地局は端末のための第2の指示情報を構成し、第2の指示情報はSTU識別子を含み、STU識別子は1つのTU内のSTUの位置情報である。例えば、図5の1つのTUに全部で4つのSTUがあり、対応するSTUは、2ビットを使用することによって識別されることができ、第1のSTUは00であり、第2のSTUは01であり、第3のSTUは10であり、第4のSTUは11である。各TUは図7の異なるSTUに対応するため、STUが属する特定のTUは、STU識別子のみに基づいて決定することはできない。可能な実施形態では、最大のRSRPを有する1つまたは複数のビームがすべてのTU内のSTUで使用されることに合意することができる。したがって、最大のRSRPを有するSTUの識別子のみを示す必要があり、端末は、どの1つまたは複数の受信ビームを使用するかを決定することができる。
【０１７３】
任意選択で、第2の指示情報は、QCL指示情報をさらに含み得る。例えば、情報は、指示情報によって占められるフィールドをQCL指示フィールドとして定義することによってデフォルトで運ばれてもよい。この場合、使用される送信リソースと、第1の指示情報において構成された掃引リソースにおけるSTU識別子のために使用される送信リソースとが、パラメータに関してQCLであることを示す。例えば、パラメータは端末側のAOAである。これは、2つの送信リソースが端末側に到着するAOAが同じであることを示している。言い換えれば、端末は、前の測定で使用された受信ビームを使用することによって、基地局のダウンリンク送信ビームを受信することができる。
【０１７４】
例14：図8Aの例に示されるように、基地局は第1の指示情報を構成し、第1の指示情報は第1のリソースの種類および／またはTUの長さを含み、図8Aの第1のリソースの種類はTU 1であり、TUの長さはNであり、Nは1に等しい。任意選択で、第1の指示情報は、各TUに含まれるSTUの数を示す指示情報をさらに含み得る。
【０１７５】
基地局は第2の指示情報を構成し、第2の指示情報はSTU識別子を含み、STU識別子は1つのTU内のすべてのSTUにおけるあるSTUの位置情報である。例えば、図5の1つのTUが合計4つのSTUを有する場合、対応するSTUは、2ビットを使用することによって識別されることができ、第1のSTUは00であり、第2のSTUは01であり、第3のSTUは10であり、第4のSTUは11である。各TUは図8Aの異なるSTUに対応するため、STUが属する特定のTUは、STU識別子のみに基づいて決定することはできない。可能な実施形態では、最大のRSRPを有する1つまたは複数のビームがすべてのTU内の対応するSTUで使用されることに合意することができる。したがって、STU識別子のみを示す必要があり、端末は、どの1つまたは複数の受信リソースが使用されるべきかを知ることができる。
【０１７６】
さらに、第2の指示情報は、QCL指示情報をさらに含み得る。例えば、情報は、指示情報によって占められるフィールドをQCL指示フィールドとして定義することによってデフォルトで運ばれてもよい。この場合、基地局によって使用される送信リソースと、第1の指示情報において指示された掃引リソースにおけるSTU識別子のために使用される送信リソースとが、パラメータに関してQCLであることを示す。例えば、パラメータは端末側のAOAである。これは、2つの送信リソースが端末側に到着するAOAが同じであることを示している。あるいは、端末は、前の測定で使用されたものと同じ受信リソースを使用することによって、基地局のダウンリンク送信リソースを受信することができることを理解されたい。同様に、他のQCLパラメータは説明されていない。
【０１７７】
例15：図8Bの例に示されるように、基地局は第1の指示情報を構成し、第1の指示情報は第1のリソースの種類および／またはTUの長さを含み、図8Bの第1のリソースの種類はTU 2であり、TUの長さはNであり、Nは1に等しい。任意選択で、第1の指示情報は、各TUに含まれるSTUの数を示す指示情報をさらに含み得る。
【０１７８】
この例では、受信ビームは変化しないので、指示は不要であり、第2の指示情報を送信する必要もない。
【０１７９】
アップリンク解決策：実施形態2
例1：図9に示すように、Txは端末の送信リソースを表し、Rxは基地局の受信リソースを表す。送信リソースは各TU内の異なるSTU間で同じであり、受信リソースは各TU内の異なるSTU間で異なる。図9はTU1に対応し、TU1の長さは1より大きい。基地局は各STUに対応する受信ビームの信号強度を決定することができ、基地局は端末によって使用されるべき送信ビームを示す必要がある。
【０１８０】
基地局は、第1の指示情報を生成し、第1の指示情報は、第1のリソースの種類がTU 1であり、TUの長さが1より大きいという指示情報である。
【０１８１】
任意選択で、基地局は、各TUが4つのSTUを含むことをさらに示し得る。
【０１８２】
基地局は第2の指示情報を生成し、第2の指示情報はTU識別子を含み、TU識別子は第1の指示情報に構成されたすべてのTUの長さに対するTUの位置情報である。例えば、図9に合計4つのTUがあると仮定し、4つのTUは2ビットを使用することによって識別され得る。例えば、第1のTUは00、第2のTUは01、第3のTUは10、第4のTUは11である。
【０１８３】
任意選択で、第2の指示情報は、QCL指示情報をさらに含み得る。例えば、情報は、指示情報によって占められるフィールドをQCL指示フィールドとして定義することによってデフォルトで運ばれてもよい。この場合、端末によって使用される送信リソースと、第1の指示情報において構成された掃引リソースにおけるTU識別子のために使用される送信リソースとが、パラメータに関してQCLであることを示す。例えば、パラメータは端末側のAODである。これは、端末に到着する2つの送信リソースのAODが同じであることを示している。言い換えれば、端末は、前の測定で使用されたものと同じアップリンク送信ビームを使用することができる。同様に、他のパラメータは説明されていない。
【０１８４】
図9から分かるように、1つのTUに対応するSTUは同じ送信ビームを使用する。したがって、端末は送信リソースを決定するためにTU識別子のみを必要とする。
【０１８５】
さらに、端末側に複数のアンテナパネルがある場合、すなわち端末が複数の受信ビームを同時にサポートする場合、第2の指示情報はさらに、同一STU内の複数の受信ビームを区別するために使用されるCSI−RS resource indicator情報を含んでもよい。
【０１８６】
さらに、端末が複数のCSI−RS測定設定情報を有する場合、端末は、さらに、特定の測定設定情報について結果を判断する必要がある。この場合、第2の指示情報は、異なるCSI−RS測定設定を区別するために使用されるCSI−RS測定設定情報をさらに含んでもよい。
【０１８７】
同様に、第2の指示情報は、異なるSRSリソースを区別するために使用されるサウンディング参照信号リソースインジケータSRS resource indicatorをさらに含み得る。
【０１８８】
同様に、第2の指示情報は、異なるSRS測定設定を区別するために使用されるサウンディング参照信号SRS測定設定をさらに含むことができる。
【０１８９】
例2：図10Aに示すように、この場合、各TU内の送信ビームおよび受信ビームは変化せず、第1のリソースの種類は対応してTU2であり、TUの長さは1より大きい。この場合、基地局は各STUに対応する受信信号強度を知ることができ、基地局は端末によって使用されるべき送信ビームを示す必要がある。
【０１９０】
基地局は第1の指示情報を端末に送信し、ここで第1の指示情報は、第1のリソースの種類はTU 2であり、TUの長さは1より大きいことを含む。この場合、基地局はさらに、各TUが4つのSTUを含むことを示す必要がある。
【０１９１】
基地局は第2の指示情報を端末に送信し、第2の指示情報はSTU識別子を含み、STU識別子は1つのTU内のすべてのSTUにおけるあるSTUの位置情報である。例えば、図10Aの1つのTUに全部で4つのSTUがあり、対応するSTUは、2ビットを使用することによって識別されることができ、第1のSTUは00であり、第2のSTUは01であり、第3のSTUは10であり、第4のSTUは11である。基地局は各TU内の対応するSTUを横断する。したがって、対応する送信ビームは、STU識別子のみに基づいて決定することができる。
【０１９２】
さらに、第2の指示情報は、QCL指示情報をさらに含んでも含まなくてもよい。例えば、第2の指示情報がQCL情報を含む場合、情報は、指示情報によって占められるフィールドをQCL指示フィールドとして定義することによってデフォルトで運ばれてもよく、この場合、それは端末によって使用される送信リソースおよび第1の指示情報において構成された掃引リソースにおいてSTU識別子のために使用される送信リソースが、パラメータに関してQCLであることを示す。例えば、パラメータは端末側のAODである。これは、2つの送信リソースのAODが端末側で同じであることを示している。言い換えれば、端末は、前の測定で使用されたものと同じ送信ビームを使用することができる。
【０１９３】
さらに、端末側に複数のアンテナパネルがある場合、すなわち端末が複数の受信ビームを同時にサポートする場合、第2の指示情報はさらに、同一STU内の複数の受信ビームを区別するために使用されるCSI−RS resource indicator情報を含んでもよい。
【０１９４】
さらに、端末が複数のCSI−RS測定設定情報を有する場合、端末は、さらに、特定の測定設定情報について結果を判断する必要がある。この場合、第2の指示情報は、異なるCSI−RS測定設定を区別するために使用されるCSI−RS測定設定情報をさらに含んでもよい。
【０１９５】
同様に、第2の指示情報は、異なるSRSリソースを区別するために使用されるサウンディング参照信号リソースインジケータSRS resource indicatorをさらに含み得る。
【０１９６】
同様に、第2の指示情報は、異なるSRS測定設定を区別するために使用されるサウンディング参照信号SRS測定設定をさらに含むことができる。
【０１９７】
例3：図10Bに示すように、この場合、送信ビームとしてワイドビームを、受信ビームとしてナロービームを用いて掃引が行われる。決定された受信ビームは1つのTU内で変わらないままであり、掃引は1つのTU内の送信ビームに対して実行される。このようにして、受信および送信ビーム対が決定される。
【０１９８】
この場合、TUの種類はTU 1とTU 2であり、TU 1の数は1であり、TU 2の数は1以上である。TU2の数が1に等しい場合、TU2内のSTUの識別子を示す必要がある。TU 2の数が1より大きい場合、TU 2内のSTUの識別子もまた示される必要がある。
【０１９９】
基地局は第1の指示情報を端末に送信し、第1の指示情報は2つの種類の第1のリソース、すなわちTU 1およびTU 2を示すために使用され、TU の長さを示し、TU 1は1に等しく、TU 2は1以上である。
【０２００】
任意選択で、第1の指示情報は、各TUに含まれるSTUの数を示す情報をさらに含み得る。
【０２０１】
基地局は第2の指示情報を端末に送信し、第2の指示情報はSTU識別子を含む。
【０２０２】
さらに、端末側に複数のアンテナパネルがある場合、すなわち端末が複数の受信ビームを同時にサポートする場合、第2の指示情報はさらに、同一STU内の複数の受信ビームを区別するために使用されるCSI−RS resource indicator情報を含んでもよい。
【０２０３】
さらに、端末が複数のCSI−RS測定設定情報を有する場合、端末は、さらに、特定の測定設定情報について結果を判断する必要がある。この場合、第2の指示情報は、異なるCSI−RS測定設定を区別するために使用されるCSI−RS測定設定情報をさらに含んでもよい。
【０２０４】
同様に、第2の指示情報は、異なるSRSリソースを区別するために使用されるサウンディング参照信号リソースインジケータSRS resource indicatorをさらに含み得る。
【０２０５】
同様に、第2の指示情報は、異なるSRS測定設定を区別するために使用されるサウンディング参照信号SRS測定設定をさらに含むことができる。
【０２０６】
例4：図11Aに示すように、第1のリソースの種類はオプション1のTU1に対応する。この場合、各TU内のSTUにわたって送信ビームは同じであり、受信ビームは異なる。基地局は第1の指示情報を構成し、第1の指示情報は第1のリソースの種類および／またはTUの長さを含み、図11Aの第1のリソースの種類はTU 1であり、TUの長さはNであり、Nは1に等しい。任意選択で、第1の指示情報は、各TUに含まれるSTUの数を示す指示情報をさらに含み得る。
【０２０７】
この例では、送信ビームは変化しないので、指示は不要であり、第2の指示情報を送信する必要もない。
【０２０８】
例5：図11Bに示すように、第1のリソースの種類はオプション2のTU2に対応する。この場合、各TU内のSTUにわたって送信ビームは異なり、受信ビームは同じであり、TUの長さは1に等しい。この場合、基地局側は各STUに対応する受信ビームの信号強度を知ることができ、基地局は端末が使用する送信リソースを示す必要がある。
【０２０９】
基地局は、第1の指示情報を端末に送信し、第1の指示情報は、第1のリソースの種類がTU 2であり、TUの長さが1であるという情報を含む。任意選択で、第1の指示情報は、各TUに含まれるSTUの数を示す情報をさらに含み得る。
【０２１０】
基地局は第2の指示情報を端末に送信し、第2の指示情報はSTU識別子を含み、STU識別子は1つのTU内のすべてのSTUにおけるあるSTUの位置情報である。例えば、図の1つのTUに全部で4つのSTUがあり、4つのSTUは、2ビットを使用することによって識別されることができ、第1のSTUは00であり、第2のSTUは01であり、第3のSTUは10であり、第4のSTUは11である。基地局は各TU内の対応するSTUを横断する。したがって、送信リソースは、STU識別子のみに基づいて決定することができる。
【０２１１】
さらに、第2の指示情報は、QCL指示情報をさらに含んでも含まなくてもよい。第2の指示情報がQCL指示情報を含む場合、情報は、指示情報によって占められるフィールドをQCL指示フィールドとして定義することによってデフォルトで運ばれてもよい。この場合、端末によって使用される送信リソースと、第1の指示情報における測定リソース内のSTU識別子のために使用される送信リソースとが、パラメータに関してQCLであることを示す。例えば、パラメータは、端末側の出発角（出発角、AOD）である。これは、2つの送信リソースのAODが端末側で同じであることを示している。言い換えれば、端末は、前の測定で使用されたものと同じ送信ビームを使用することができる。
【０２１２】
さらに、端末側に複数のアンテナパネルがある場合、すなわち端末が複数の受信ビームを同時にサポートする場合、第2の指示情報はさらに、同一STU内の複数の受信ビームを区別するために使用されるCSI−RS resource indicator情報を含んでもよい。
【０２１３】
さらに、端末が複数のCSI−RS測定設定情報を有する場合、端末は、さらに、特定の測定設定情報について結果を判断する必要がある。この場合、第2の指示情報は、異なるCSI−RS測定設定を区別するために使用されるCSI−RS測定設定情報をさらに含んでもよい。
【０２１４】
同様に、第2の指示情報は、異なるSRSリソースを区別するために使用されるサウンディング参照信号リソースインジケータSRS resource indicatorをさらに含み得る。
【０２１５】
同様に、第2の指示情報は、異なるSRS測定設定を区別するために使用されるサウンディング参照信号SRS測定設定をさらに含むことができる。
【０２１６】
実施形態3
一般に、基地局は端末のアップリンク送信リソースを示す必要がある。送信リソースは、物理アップリンク制御チャネル（Physical Uplink Control Channel、PUCCH）または物理アップリンク共有チャネル（Physical Uplink Shared Channel、PUSCH）などの異なるチャネルのリソースであり得る。
【０２１７】
送信リソースが物理アップリンク制御チャネル（Physical Uplink Control Channel、PUCCH）である場合、基地局は、送信に使用されるべき特定のビームおよび特定の時間リソースを端末に示す必要がある。異なるPUCCHは、基地局側の異なる受信ビームに対応し、基地局は、構成情報を端末に送信する必要があり、構成情報は基地局側のPUCCHの受信と時間リソースとの間の関係を含む。構成情報を受信した後、端末は、構成情報によって示される時間リソース上で対応するPUCCHビームを送信することを決定する。
【０２１８】
本発明の実施形態3は構成方法を提供する。図12に示すように、方法は、以下のステップを含む。
【０２１９】
S1201．基地局は構成情報を生成し、構成情報は、物理アップリンク制御チャネルPUCCHと時間リソースとの間の関係についての情報を含む。
【０２２０】
S1202．基地局は構成情報を端末に送信し、その結果端末は対応する時間リソースで物理アップリンク制御チャネルを送信する。
【０２２１】
アップリンクおよびダウンリンクビーム掃引後、基地局および端末によって取得され得る情報は以下の通りである。
【０２２２】
（1）ダウンリンク掃引：基地局はダウンリンクビームを端末に送信し、端末は対応する受信ビームを用いてダウンリンクビームを受信する。掃引処理が完了した後、端末は1つまたは複数の最適送信ビームと各ビームに対応するRSRPを基地局に報告し、端末は対応する受信ビームを記憶する。例えば、基地局によって取得することができる情報は、｛Txi，RSRPi｝，｛Txj，RSRPj｝，．．．であり、端末によって取得することができる情報は、｛Txi，Rxi，RSRPi｝，｛Txj，Rxj，RSRPj｝，．．．であり、ここで、Txiはi番目の送信ビームを識別し、RSRPiはRSRPシーケンス番号を表す。
【０２２３】
（2）アップリンク掃引：端末はアップリンクビームを基地局に送信し、基地局は対応する受信ビームを用いてアップリンクビームを受信する。掃引処理が完了した後、基地局によって取得することができる情報は、｛Txi，Rxi，RSRPj｝および｛Txj，Rxj，RSRPj｝であり、端末によって取得することができる情報は、｛Txi｝および｛Txj｝であり得、ここで、Txiはi番目の送信ビームを識別し、RSRPiはRSRPシーケンス番号を表し、Rxjはj番目の受信ビームを表す。
【０２２４】
基地局と端末の両方が完全に相互較正される場合、ダウンリンク掃引結果はアップリンクのために直接使用されてもよく、端末は受信および送信ビーム対に関する情報を有し、PUCCHの受信ビームの構成情報を参照して送信時間を直接取得する。
【０２２５】
基地局と端末が部分的に相互較正される場合、ダウンリンク掃引結果はアップリンクのために部分的に使用され得る。端末の1つの受信ビームは複数の送信ビームに対応し、基地局の1つの送信ビームは複数の受信ビームに対応する。この場合、端末は、対応する複数の送信ビームを用いて送信してもよいし、PUCCHの受信ビームの構成情報を参照して複数の時点で送信を行ってもよい。
【０２２６】
基地局と端末が非相互的である場合、端末はアップリンク掃引結果のみを使用することができる。この場合、基地局は端末にビームペアリング情報を送信し、端末はPUCCHの構成情報およびペアリング情報に基づいて自動ペアリングを行う。例えば、ペアリング情報は以下の通りである。
【０２２７】
端末0の場合、（Tx1、Rx3）と（Tx3、Rx2）は2対のビームのペアリング情報を示し、（Tx1、Rx3）は端末が送信ビーム1を使用し、基地局は受信ビーム3を使用することを示し、（Tx3、Rx2）は、端末が送信ビーム3を使用し、基地局が受信ビーム2を使用することを示す。
【０２２８】
端末1の場合、（Tx5、Rx2）および（Tx4、Rx2）は2対のビームのペアリング情報を示し、（Tx5、Rx2）は端末が送信ビーム5を使用し、基地局は受信ビーム2を使用することを示し、（Tx4、Rx2）は、端末が送信ビーム4を使用し、基地局が受信ビーム2を使用することを示す。
【０２２９】
端末2の場合、（Tx4、Rx3）および（Tx1、Rx3）は2対のビームのペアリング情報を示し、（Tx4、Rx3）は端末が送信ビーム4を使用し、基地局は受信ビーム3を使用することを示し、（Tx1、Rx3）は、端末が送信ビーム1を使用し、基地局が受信ビーム3を使用することを示す。
【０２３０】
端末3の場合、（Tx2、Rx4）および（Tx2、Rx5）は2対のビームのペアリング情報を示し、（Tx2、Rx4）は端末が送信ビーム2を使用し、基地局は受信ビーム4を使用することを示し、（Tx2、Rx5）は、端末が送信ビーム2を使用し、基地局が受信ビーム5を使用することを示す。
【０２３１】
端末4の場合、（Tx3、Rx5）および（Tx5、Rx2）は2対のビームのペアリング情報を示し、（Tx3、Rx5）は端末が送信ビーム3を使用し、基地局は受信ビーム5を使用することを示し、（Tx5、Rx2）は、端末が送信ビーム5を使用し、基地局が受信ビーム2を使用することを示す。
【０２３２】
この場合、端末は、PUCCHのペアリング情報に基づいて送信を行う時間を決定する。
【０２３３】
基地局にとって、特定の時間に基地局が受信ビームRx2を使用する場合、端末1が送信を実行することを示し、基地局が特定の時間に受信ビームRx3を使用する場合、端末0および端末2が送信を実行することを示し、基地局が特定の時間に受信ビームRx4を使用する場合、端末3が送信を実行することを示し、基地局が特定の時間に受信ビームRx5を使用する場合、端末4が送信を実行することを示す。
【０２３４】
端末にマルチビーム送信モードが設定されている場合、例えば、端末1に設定された送信モードが2つの送信ビームを必要とする場合、端末1は対応する2つの時点で送信を実行する。2つの時点は、基地局によってPUCCHを受信するためのビームRx3およびRx2にそれぞれ対応する。
【０２３５】
端末のアップリンク送信ビームがPUSCHである場合、制御情報はPUSCH上で送信され得る。この場合、端末の送信ビームは制御情報の種類に基づいて指示される必要がある。
【０２３６】
本発明の実施形態4は、以下のステップを含む構成方法を提供する。
【０２３７】
ステップ1：基地局は、第1の構成情報および第2の構成情報を生成し、第1の構成情報は第1のビームセットの各ビーム上で送信され、第2の構成は第2のビームセットの各ビーム上で送信され、第1のビームセットは第2のビームセットを含む。
【０２３８】
ステップ2：基地局は第1の構成情報と第2の構成情報とを端末に送信する。
【０２３９】
さらに、第1の構成情報は、ハイブリッド自動反復要求確認（hybrid automatic repeat request acknowledge、HARQ−ACK）情報、ビーム回復要求（Recover request、RR）情報、ランクインジケータ（Rank Indicator、RI）、CSI−RS resource indicator、SRS resource indicator、ビーム関連情報（Beam Index、ビーム識別子、および／またはRSRPを含む）、チャネル品質インジケータ（Channel Quality Indicator、CQI）、プレコーディング行列インジケータ（Pre−coding Matrix Indicator、PMI）などのうちの1つまたは複数を含み得る。
【０２４０】
第2の構成情報は、第1の構成情報のサブセットである。
【０２４１】
さらに、第1の構成情報および第2の構成情報は制御情報であるため、データとの多重化中に、第1の構成情報は、第1のビームセット内のすべてのトランスポートブロックの各レイヤで多重化されてもよく、第2の構成情報は、第2のビームセット内のすべてまたは一部のトランスポートブロックの各層で多重化されてもよい。
【０２４２】
例えば、第2の種類の制御情報と多重化されるトランスポートブロックは、第1のビームセット内で最も高い変調符号化方式を有するトランスポートブロックである。
【０２４３】
任意選択で、第1の構成情報内の異なる制御情報は異なる方式でPUSCHにマッピングされる。可能な実装は以下の通りである。
【０２４４】
HARQ−ACKまたはRRは、時分割または周波数分割を用いてPUSCHの復調パイロットに最も近い位置に配置される。
【０２４５】
RI／CRIまたは（BI／RSRP）は、時分割または周波数分割を使用することによって、PUSCHの復調パイロットに2番目に近い位置に配置される。
【０２４６】
RSRP／CQI／PMIは、時分割または周波数分割を用いてPUSCHの復調パイロットに3番目に近い位置に配置される。
【０２４７】
図13は、本発明のさらに他の実施形態による基地局の概略ブロック図である。基地局1300は、プロセッサ1310、メモリ1320、トランシーバ1330、アンテナ1340、バス1350、およびユーザインタフェース1360を含む。
【０２４８】
具体的には、プロセッサ1310は、送信器1300の動作を制御する。プロセッサは、汎用プロセッサ、デジタル信号プロセッサ、特定用途向け集積回路、フィールドプログラマブルゲートアレイ、または他のプログラマブルロジック装置でありうる。
【０２４９】
トランシーバ1330は、送信器1332および受信器1334を含み、送信器1332は信号を送信するよう構成され、受信器1334は信号を受信するよう構成される。1つまたは複数のアンテナ1340があってもよい。基地局1300は、キーボード、マイクロフォン、スピーカ、および／またはタッチスクリーンなどのユーザインタフェース1360をさらに含み得る。ユーザインタフェース1360は、内容および制御動作を基地局1300に配信し得る。
【０２５０】
基地局1300の構成要素は、バス1350を使用することによって互いに結合される。データバスに加えて、バスシステム1350は、電源バス、制御バス、およびステータス信号バスを含む。しかしながら、明確な説明のために、図の種々の種類のバスがバスシステム1350として示されている。ネットワーク要素構造に関する上記の説明は、本発明の実施形態に適用され得ることに留意されたい。
【０２５１】
メモリ1320は、読み出し専用メモリ（Read Only Memory、ROM）、ランダムアクセスメモリ（Random Access Memory、RAM）、または情報および命令を記憶することができる他の種類の動的記憶装置を含んでもよく、またはディスクメモリであってもよい。メモリ1320は、本発明の実施形態において提供される関連方法を実施するための命令を記憶するよう構成され得る。実行可能命令は、基地局1300内のプロセッサ1310、キャッシュ、および長期メモリのうちの少なくとも1つにプログラムまたはロードされることを理解することができる。
【０２５２】
特定の実施形態では、プロセッサ1310は、第1のリソースの構成情報を示すために使用される第1の指示情報を生成するよう、および、基地局によって、第2のリソースと第1のリソースとの間の関係を示すために使用される第2の指示情報を生成するよう構成され、トランシーバ1330は、第1の指示情報と第2の指示情報とを端末に送信するよう構成され、端末は、第1の指示情報と第2の指示情報とに基づいて、自身の受信リソースまたは送信リソースを決定する。
【０２５３】
第1の指示情報は、第1のリソースの種類および／または第1のリソースの長さを含む。
【０２５４】
具体的には、第1のリソースの種類は、送信リソースと時間単位との間の関係を示すために使用される。
【０２５５】
具体的には、第1のリソースの長さは時間単位の数を含む。
【０２５６】
具体的には、第2の指示情報は、以下の情報、すなわち、
時間単位識別子、サブ時間単位識別子、参照信号受信電力RSRP、チャネル状態情報参照信号リソースインジケータCSI−RS resource indicator、サウンディング参照信号リソースインジケータSRS resource indicator、チャネル状態情報CSI測定設定、およびサウンディング参照信号SRS測定設定
のうちの一または複数の種類を含む。
【０２５７】
任意選択で、第2の指示情報は擬似コロケーションQCL指示情報をさらに含む。
【０２５８】
具体的には、QCL指示情報は、以下の情報、すなわち、
遅延スプレッド、ドップラースプレッド、ドップラーシフト、平均利得、平均遅延、到来角AOA、出発角AOD、平均AOA、平均AOD、送信ビーム、受信ビーム、空間関係、チャネル状態情報参照信号リソースインジケータCSI−RS resource indicator、またはサウンディング参照信号リソースインジケータSRS resource indicator
のうちの一または複数の種類を含む。
【０２５９】
任意選択で、第1の指示情報および第2の指示情報は、
物理ダウンリンク制御チャネルPDCCHメッセージ、または無線リソース制御RRCメッセージ、またはメディアアクセス制御制御要素MAC CE
のメッセージのうちの任意の1つの中にカプセル化されることによって端末装置に送信される。
【０２６０】
他の特定の実施形態では、プロセッサ1310は構成情報を生成するよう構成され、構成情報は、物理アップリンク制御チャネルPUCCHと時間リソースとの間の関係についての情報を含む。
【０２６１】
トランシーバ1330は構成情報を端末に送信し、その結果端末は対応する時間リソースで物理アップリンク制御チャネルを送信する。
【０２６２】
他の特定の実施形態では、プロセッサ1310は、第1の構成情報および第2の構成情報を基地局によって生成するよう構成され、第1の構成情報は第1のビームセットの各ビーム上で送信され、第2の構成は第2のビームセットの各ビーム上で送信され、第1のビームセットは第2のビームセットを含む。
【０２６３】
トランシーバ1330は、第1の構成情報と第2の構成情報とを端末に送信する。
【０２６４】
さらに、図13に示される基地局は、前述の方法の実施形態1〜4における基地局に対応することを理解されたい。方法の実施形態1〜4のすべての詳細の説明は、基地局の装置の実施形態を説明するためにすべて使用され得る。基地局と端末との間の相互作用に関する詳細については、前述の説明を参照されたい。詳細は再度説明されない。
【０２６５】
図14は、本発明のさらに他の実施形態による端末の概略ブロック図である。端末1400は、プロセッサ1410、メモリ1420、トランシーバ1430、アンテナ1440、バス1450、およびユーザインタフェース1460を含む。
【０２６６】
具体的には、プロセッサ1410は、端末1400の動作を制御する。プロセッサは、汎用プロセッサ、デジタル信号プロセッサ、特定用途向け集積回路、フィールドプログラマブルゲートアレイ、または他のプログラマブルロジック装置でありうる。
【０２６７】
トランシーバ1430は、送信器1432および受信器1434を含み、送信器1432は信号を送信するよう構成され、受信器1434は信号を受信するよう構成される。1つまたは複数のアンテナ1440があり得る。端末1400は、キーボード、マイクロフォン、スピーカ、および／またはタッチスクリーンなどのユーザインタフェース1460をさらに含み得る。ユーザインタフェース1460は、内容および制御動作を端末1400に配信することができる。
【０２６８】
端末1400の構成要素は、バス1450を使用することによって互いに結合されている。データバスに加えて、バスシステム1450は、電源バス、制御バス、およびステータス信号バスを含む。しかしながら、明確な説明のために、図中の種々の種類のバスがバスシステム1450として示されている。ネットワーク要素構造に関する上記の説明は、本発明の実施形態に適用され得ることに留意されたい。
【０２６９】
メモリ1420は、読み出し専用メモリ（Read Only Memory、ROM）、ランダムアクセスメモリ（Random Access Memory、RAM）、または情報および命令を記憶することができる他の種類の動的記憶装置を含んでもよく、またはディスクメモリであってもよい。メモリ1420は、本発明の実施形態において提供される関連方法を実施するための命令を記憶するよう構成され得る。実行可能命令は、端末1400内のプロセッサ1410、キャッシュ、および長期メモリのうちの少なくとも1つにプログラムまたはロードされることを理解することができる。特定の実施形態では、メモリはコンピュータ実行可能プログラムコードを記憶するよう構成される。プログラムコードが命令を含む場合、そしてプロセッサがその命令を実行する場合、命令はネットワーク要素が以下の動作を実行することを可能にする。
【０２７０】
トランシーバ1430は、基地局から、第1のリソースの構成情報を示すために使用される第1の指示情報と、第2のリソースと第1のリソースとの間の関係を示すために使用される第2の指示情報とを受信するよう構成される。
【０２７１】
プロセッサ1410は、第1の指示情報および第2の指示情報に基づいて第2のリソースを決定するよう構成される。
【０２７２】
具体的には、第1の指示情報は、第1のリソースの種類および／または第1のリソースの長さを含む。
【０２７３】
第1のリソースの長さは時間単位の数を含む。
【０２７４】
第2の指示情報は、以下の情報、すなわち、
時間単位識別子、サブ時間単位識別子、参照信号受信電力RSRP、チャネル状態情報参照信号リソースインジケータCSI−RS resource indicator、サウンディング参照信号リソースインジケータSRS resource indicator、チャネル状態情報CSI測定設定、およびサウンディング参照信号SRS測定設定
のうちの一または複数の種類を含む。
【０２７５】
任意選択で、第2の指示情報は、QCL指示情報をさらに含み得る。
【０２７６】
具体的には、QCL指示情報は、遅延スプレッド、ドップラースプレッド、ドップラーシフト、平均利得、平均遅延、到来角AOA、出発角AOD、平均到来角AOA、平均出発角AOD、送信ビーム、受信ビーム、空間関係、チャネル状態情報参照信号リソースインジケータCSI−RS resource indicator、およびサウンディング参照信号リソースインジケータSRS resource indicatorの情報のうちの一または複数の種類である。
【０２７７】
具体的には、受信リソースおよび／または送信リソースは、受信ビーム、または送信ビーム、または受信ポート、または送信ポート、または空間リソースを含む。
【０２７８】
端末に含まれるプロセッサによって実行される動作の特定の実施形態については、方法の実施形態において端末によって実行される対応するステップを参照されたい。詳細は、本発明のこの実施形態では再度説明されない。
【０２７９】
当然のことながら、図14に示す端末は、前述の方法の実施形態1〜4の端末に対応する。方法の実施形態1〜4のすべての詳細の説明はすべて、端末の装置の実施形態を説明するために使用され得る。基地局と端末との間の相互作用に関する詳細については、前述の説明を参照されたい。詳細は再度説明されない。
【０２８０】
本発明の一実施形態は、基地局によって使用されるコンピュータソフトウェア命令を記憶するよう構成されたコンピュータ記憶媒体をさらに提供する。コンピュータ記憶媒体は、前述の態様を実行するよう設計されたプログラムを含む。
【０２８１】
本発明の一実施形態は、前述の端末装置によって使用されるコンピュータソフトウェア命令を格納するように構成されたコンピュータ記憶媒体をさらに提供する。コンピュータ記憶媒体は、前述の態様を実行するよう設計されたプログラムを含む。
【０２８２】
本発明の一実施形態は、基地局および端末を含む通信ネットワークシステムをさらに提供する。基地局は、方法の実施形態において基地局によって実行されるステップを実行するよう構成され、端末は、方法の実施形態において端末によって実行されるステップを実行するよう構成される。基地局と端末との間の対話プロセスについては、方法の実施形態の説明を参照されたい。詳細は本明細書では再度説明されない。本発明の実施形態で提供される通信方法は、リソース指示オーバーヘッドを減らすことができる。
【０２８３】
本発明の明細書、特許請求の範囲および添付の図面において、「第1」、「第2」、「第3」、「第4」などの用語は、異なる対象を区別することを意図しているが、特定の順序を示すものではない。さらに、用語「含む（comprising）」、「備える（including）」、およびその任意の他の変形は、非排他的な包含をカバーすることが意図される。例えば、一連のステップまたはユニットを含むプロセス、方法、システム、製品、または機器は、リストされたステップまたはユニットに限定されず、所望により、リストされていないステップまたはユニットをさらに含むか、所望により、プロセス、方法、システム、製品、または装置の他の固有のステップまたはユニットをさらに含む。
【０２８４】
前述の実施形態のすべてまたは一部は、ソフトウェア、ハードウェア、ファームウェア、またはそれらの任意の組み合わせによって実施され得る。ソフトウェアを使用して実施形態を実施する場合、実施形態は、コンピュータプログラム製品の形で完全にまたは部分的に実施することができる。コンピュータプログラム製品は、1つまたは複数のコンピュータ命令を含む。コンピュータプログラム命令がコンピュータにロードされ実行される場合、本発明の実施形態による手順または機能はすべてまたは一部生成される。コンピュータは、汎用コンピュータ、専用コンピュータ、コンピュータネットワーク、または他のプログラム可能装置であり得る。コンピュータ命令は、コンピュータ可読記憶媒体に記憶されてもよく、またはコンピュータ可読記憶媒体から他のコンピュータ可読記憶媒体に送信されてもよい。例えば、コンピュータ命令は、ウェブサイト、コンピュータ、サーバ、またはデータセンターから他のウェブサイト、コンピュータ、サーバ、またはデータセンターに有線（例えば、同軸ケーブル、光ファイバ、またはデジタル加入者回線（DSL））、または無線（例えば、赤外線、ラジオ、およびマイクロ波など）の方法で送信されてもよい。コンピュータ可読記憶媒体は、コンピュータ、または、1つまたは複数の使用可能媒体を統合したサーバまたはデータセンターなどのデータ記憶装置によってアクセス可能な、任意の使用可能な媒体であってもよい。使用可能な媒体は、磁気媒体（例えば、フロッピーディスク、ハードディスク、または磁気テープ）、光学媒体（例えば、DVD）、半導体媒体（例えば、Solid State Disk（SSD））などであってもよい。
【０２８５】
上記に開示されたことは、単に本発明の例示的な実施形態であり、当然、本発明の保護範囲を限定することを意図しない。したがって、本発明の特許請求の範囲に従ってなされる同等の変形は本発明の範囲内に含まれるものとする。
【符号の説明】
【０２８６】
200  通信ネットワーク
202  ネットワーク装置
204  端末
400  リソース指示方法
1300  基地局
1310  プロセッサ
1320  メモリ
1330  トランシーバ
1332  送信器
1334  受信器
1340  アンテナ
1350  バス、バスシステム
1360  ユーザインタフェース
1400  端末
1410  プロセッサ
1420  メモリ
1430  トランシーバ
1432  送信器
1434  受信器
1440  アンテナ
1450  バス、バスシステム
1460  ユーザインタフェース
【図１】
2020504549.tif 000003
【図２】
2020504549.tif 000004
【図３】
2020504549.tif 000005
【図４】
2020504549.tif 000006
【図５】
2020504549.tif 000007
【図６】
2020504549.tif 000008
【図７】
2020504549.tif 000009
【図８Ａ】
2020504549.tif 000010
【図８Ｂ】
2020504549.tif 000011
【図９】
2020504549.tif 000012
【図１０Ａ】
2020504549.tif 000013
【図１０Ｂ】
2020504549.tif 000014
【図１１Ａ】
2020504549.tif 000015
【図１１Ｂ】
2020504549.tif 000016
【図１２】
2020504549.tif 000017
【図１３】
2020504549.tif 000018
【図１４】
2020504549.tif 000019
【手続補正書】
【提出日】令和1年8月15日(2019.8.15)
【手続補正１】
【補正対象書類名】明細書
【補正対象項目名】００１９
【補正方法】変更
【補正の内容】
【００１９】
可能な設計では、QCL指示情報は、以下の情報、すなわち、
遅延スプレッド、ドップラースプレッド、ドップラーシフト、平均利得、平均遅延、到来角AOA、出発角AOD、平均AOA、平均AOD、送信ビーム、受信ビーム、受信アンテナ空間関係パラメータ、およびリソース識別子
のうちの一または複数の種類を含む。
【手続補正２】
【補正対象書類名】明細書
【補正対象項目名】００６９
【補正方法】変更
【補正の内容】
【００６９】
本発明の目的、特徴、および利点をより明確かつより分かりやすくするために、以下は本発明の実施形態における添付図面を参照して本発明の実施形態における技術的解決策を明確に説明する。明らかに、以下に記載された実施形態は、本発明の実施形態のすべてではなく一部である。本発明の実施形態に基づいて当業者によって得られる他のすべての他の実施形態は、本発明の保護範囲内に入るものとする。
【手続補正３】
【補正対象書類名】明細書
【補正対象項目名】００７７
【補正方法】変更
【補正の内容】
【００７７】
ビーム管理に関しては、2016年10月に開催されたRAN1＃87会議で到達した関連する結論には、ダウンリンクビーム管理のための3つの機構が含まれる（アップリンクビーム管理の基準は決定されていない）。
【手続補正４】
【補正対象書類名】明細書
【補正対象項目名】０２６９
【補正方法】変更
【補正の内容】
【０２６９】
メモリ1420は、読み出し専用メモリ（Read Only Memory、ROM）、ランダムアクセスメモリ（Random Access Memory、RAM）、または情報および命令を記憶することができる他の種類の動的記憶装置を含んでもよく、またはディスクメモリであってもよい。メモリ1420は、本発明の実施形態において提供される関連方法を実施するための命令を記憶するよう構成され得る。実行可能命令は、端末1400内のプロセッサ1410、キャッシュ、および長期メモリのうちの少なくとも1つにプログラムまたはロードされることを理解することができる。特定の実施形態では、メモリはコンピュータ実行可能プログラムコードを記憶するよう構成される。プログラムコードが命令を含む場合、そしてプロセッサがその命令を実行する場合、命令は端末1400が以下の動作を実行することを可能にする。
【手続補正５】
【補正対象書類名】明細書
【補正対象項目名】０２７６
【補正方法】変更
【補正の内容】
【０２７６】
具体的には、QCL指示情報は、遅延スプレッド、ドップラースプレッド、ドップラーシフト、平均利得、平均遅延、到来角(AOA)、出発角(AOD)、平均到来角(AOA)、平均出発角(AOD)、送信ビーム、受信ビーム、空間関係、チャネル状態情報参照信号リソースインジケータ(CSI−RS resource indicator)、およびサウンディング参照信号リソースインジケータ(SRS resource indicator)の情報のうちの一または複数の種類である。
【手続補正６】
【補正対象書類名】特許請求の範囲
【補正対象項目名】全文
【補正方法】変更
【補正の内容】
【特許請求の範囲】
【請求項１】
通信方法であって、
基地局によって、第1の指示情報を生成するステップであって、前記第1の指示情報は第1のリソースの構成情報を示すために使用される、ステップと、
前記基地局によって、第2の指示情報を生成するステップであって、前記第2の指示情報は第2のリソースと前記第1のリソースとの間の関係を示すために使用される、ステップと、
前記基地局によって、前記第1の指示情報と前記第2の指示情報とを端末に送信し、それによって、前記端末が、前記第1の指示情報と前記第2の指示情報とに基づいて、受信リソースまたは送信リソースを決定する、ステップと
を含む通信方法。
【請求項２】
前記第1の指示情報は、前記第1のリソースの種類または前記第1のリソースの長さを含む、請求項1に記載の方法。
【請求項３】
前記第1のリソースの前記種類は、前記基地局の送信リソースと時間単位との間の関係、または前記端末の前記送信リソースと時間単位との間の関係を示すために使用される、請求項2に記載の方法。
【請求項４】
前記第1のリソースの前記長さは、時間単位の数である、請求項2または3に記載の方法。
【請求項５】
前記第2の指示情報は、以下の情報、すなわち、
時間単位識別子、サブ時間単位識別子、および参照信号受信電力（RSRP）シーケンス番号
のうちの少なくとも一種類を含む、請求項1〜4のいずれか一項に記載の方法。
【請求項６】
前記第2の指示情報は、以下の情報、すなわち、
チャネル状態情報参照信号リソースインジケータ（CSI−RS resource indicator）、サウンディング参照信号リソースインジケータ（SRS resource indicator）、チャネル状態情報（CSI）測定設定、およびサウンディング参照信号（SRS）測定設定
のうちの一または複数の種類をさらに含み得る、請求項1〜5のいずれか一項に記載の方法。
【請求項７】
前記第2の指示情報は、擬似コロケーション（QCL）指示情報をさらに含む、請求項1〜6のいずれか一項に記載の方法。
【請求項８】
通信方法であって、
端末によって、基地局から、第1の指示情報と第2の指示情報とを受信するステップであって、前記第1の指示情報は第1のリソースの構成情報を示すために使用され、前記第2の指示情報は第2のリソースと前記第1のリソースとの間の関係を示すために使用される、ステップと、
前記端末によって、前記第1の指示情報と前記第2の指示情報とに基づいて、受信リソースまたは送信リソースを決定するステップと
を含む、通信方法。
【請求項９】
前記第1の指示情報は、前記第1のリソースの種類または前記第1のリソースの長さを含む、請求項8に記載の方法。
【請求項１０】
前記第1のリソースの前記種類は、前記基地局の送信リソースと時間単位との間の関係、または前記端末の前記送信リソースと時間単位との間の関係を示すために使用される、請求項9に記載の方法。
【請求項１１】
前記第1のリソースの前記長さは、時間単位の数である、請求項9に記載の方法。
【請求項１２】
前記第2の指示情報は、以下の情報、すなわち、
時間単位識別子、サブ時間単位識別子、および参照信号受信電力（RSRP）シーケンス番号
のうちの少なくとも一種類を含む、請求項8〜11のいずれか一項に記載の方法。
【請求項１３】
前記第2の指示情報は、以下の情報、すなわち、
チャネル状態情報参照信号リソースインジケータ（CSI−RS resource indicator）、サウンディング参照信号リソースインジケータ（SRS resource indicator）、チャネル状態情報（CSI）測定設定、およびサウンディング参照信号（SRS）測定設定
のうちの一または複数の種類をさらに含む、請求項8〜12のいずれか一項に記載の方法。
【請求項１４】
前記第2の指示情報は、QCL指示情報をさらに含む、請求項8〜13のいずれか一項に記載の方法。
【請求項１５】
第1のリソースの構成情報を示すために使用される第1の指示情報を生成するよう、および、前記基地局によって、第2のリソースと前記第1のリソースとの間の関係を示すために使用される第2の指示情報を生成するよう構成された、プロセッサと、
前記第1の指示情報と前記第2の指示情報とを端末に送信し、それによって前記端末が前記第1の指示情報と前記第2の指示情報とに基づいて自身の受信リソースまたは送信リソースを決定するよう構成されたトランシーバと
を含む、基地局。
【請求項１６】
前記第1の指示情報は、前記第1のリソースの種類または前記第1のリソースの長さを含む、請求項15に記載の基地局。
【請求項１７】
前記第1のリソースの前記種類は、前記基地局の送信リソースと時間単位との間の関係、または前記端末の前記送信リソースと時間単位との間の関係を示すために使用される、請求項16に記載の基地局。
【請求項１８】
前記第1のリソースの前記長さは、時間単位の数を含む、請求項16または17に記載の基地局。
【請求項１９】
前記第2の指示情報は、以下の情報、すなわち、
時間単位識別子、サブ時間単位識別子、および参照信号受信電力（RSRP）シーケンス番号
のうちの少なくとも一種類を含む、請求項15〜18のいずれか一項に記載の基地局。
【請求項２０】
前記第2の指示情報は、以下の情報、すなわち、
チャネル状態情報参照信号リソースインジケータ（CSI−RS resource indicator）、サウンディング参照信号リソースインジケータ（SRS resource indicator）、チャネル状態情報（CSI）測定設定、およびサウンディング参照信号（SRS）測定設定
のうちの一または複数の種類をさらに含む、請求項15〜19のいずれか一項に記載の基地局。
【請求項２１】
前記第2の指示情報は、擬似コロケーション（QCL）指示情報をさらに含む、請求項15〜20のいずれか一項に記載の基地局。
【請求項２２】
基地局から、第1のリソースの構成情報を示すために使用される第1の指示情報と、第2のリソースと前記第1のリソースとの間の関係を示すために使用される第2の指示情報とを受信するよう構成されたトランシーバと、
前記第1の指示情報および前記第2の指示情報に基づいて、自身の受信リソースまたは送信リソースを決定するよう構成されたプロセッサと
を含む、端末。
【請求項２３】
前記第1の指示情報は、前記第1のリソースの種類または前記第1のリソースの長さを含む、請求項22に記載の端末。
【請求項２４】
前記第1のリソースの前記種類は、前記基地局の送信リソースと時間単位との間の関係、または前記端末の前記送信リソースと時間単位との間の関係を示すために使用される、請求項23に記載の端末。
【請求項２５】
前記第1のリソースの前記長さは、時間単位の数を含む、請求項23または24に記載の端末。
【請求項２６】
前記第2の指示情報は、以下の情報、すなわち、
時間単位識別子、サブ時間単位識別子、および参照信号受信電力（RSRP）シーケンス番号
のうちの少なくとも一種類を含む、請求項22〜25のいずれか一項に記載の端末。
【請求項２７】
前記第2の指示情報は、以下の情報、すなわち、
チャネル状態情報参照信号リソースインジケータ（CSI−RS resource indicator）、サウンディング参照信号リソースインジケータ（SRS resource indicator）、チャネル状態情報（CSI）測定設定、およびサウンディング参照信号（SRS）測定設定
のうちの一または複数の種類をさらに含む、請求項22〜26のいずれか一項に記載の端末。
【請求項２８】
前記第2の指示情報は、QCL指示情報をさらに含む、請求項22〜27のいずれか一項に記載の端末。
【国際調査報告】
2020504549.tif 000020
2020504549.tif 000021
2020504549.tif 000022
2020504549.tif 000023